(57)【特許請求の範囲】
【請求項１】
一方向へ延びていて前記一方向と交差する交差方向へ離間して並ぶ複数のサーバラックと、隣接する前記サーバラックの間に位置して前記一方向へ延びるコールドアイルと、隣接する前記サーバラックの間であって該サーバラックを挟んで前記コールドアイルの反対側に位置し、該コールドアイルと並行して前記一方向へ延びるホットアイルと、前記コールドアイルに所定温度の冷風を給気する空調機とを備え、前記空調機から給気された冷風が床下空間を通って前記コールドアイルに流入し、前記冷風が前記コールドアイルから前記サーバラックを通流しつつ該サーバラックに収容されたサーバを冷却することで前記サーバの熱を吸収した温風に変わり、前記温風が前記サーバラックから前記ホットアイルに流入しつつ該ホットアイルから前記空調機に還流する情報処理機器室用空調システムにおいて、
前記空調機には、前記サーバラックよりも上方に配置されて前記コールドアイルの後端部から前端部に向かって前記一方向へ冷風を給気する吹出ユニットが接続され、前記空調システムが、前記コールドアイルの後端部と中央部との間に延びる前記サーバラックに設置され、該サーバラックが存在する該コールドアイルの第１温度を計測する第１温度センサと、前記コールドアイルの中央部と前端部との間に延びる前記サーバラックに設置され、該サーバラックが存在する該コールドアイルの第２温度を計測する第２温度センサとを含み、前記空調システムでは、前記第１および第２温度センサが計測した第１および第２温度とあらかじめ設定された設定温度とを比較し、前記第１および第２温度が前記設定温度以下の場合、前記吹出ユニットから冷風を給気することなく前記床下空間から前記コールドアイルに冷風を給気し、前記第１および第２温度が前記設定温度よりも高くなった場合、前記床下空間に供給する冷風の割合を略５０％に設定するとともに、前記吹出ユニットに供給する冷風の割合を略５０％に設定しつつ、前記床下空間から該コールドアイルに冷風を給気するとともに、前記コールドアイルの中央部および前端部とそれら部の間とに位置するサーバラックに向かって前記吹出ユニットから冷風を給気することを特徴とする情報処理機器室用空調システム。
【請求項２】
前記空調システムでは、前記第１および第２温度が前記設定温度よりも高くなった場合、前記第１温度が前記設定温度以下のときの風量よりも多い風量の冷風を前記床下空間から前記コールドアイルに給気するとともに、前記吹出ユニットから前記コールドアイルに多くの風量の冷風を給気し、前記第１および第２温度が前記設定温度よりも低くなった場合、前記床下空間および前記吹出ユニットから前記コールドアイルに給気する冷風の風量を、前記第１および第２温度が前記設定温度よりも高くなったときの風量よりも少なくする請求項１に記載の情報処理機器室用空調システム。
【請求項３】
前記空調システムが、前記コールドアイルの後端部と中央部との間に延びる前記サーバラックに設置され、該サーバラックが存在する該コールドアイルの第１温度を計測する第１温度センサと、前記コールドアイルの中央部と前端部との間に延びる前記サーバラックに設置され、該サーバラックが存在する該コールドアイルの第２温度を計測する第２温度センサとを含み、前記空調システムでは、前記第１および第２温度センサが計測した第１および第２温度とあらかじめ設定された設定温度とを比較し、前記第１および第２温度が前記設定温度以下の場合、前記吹出ユニットから冷風を給気することなく前記床下空間から前記コールドアイルに冷風を給気し、前記第１温度が前記設定温度よりも高くなった場合、前記床下空間に供給する冷風の割合を５１〜６０％の範囲に設定するとともに、前記吹出ユニットに供給する冷風の割合を４０〜４９％の範囲に設定しつつ、前記床下空間および前記吹出ユニットから前記コールドアイルに冷風を給気し、前記第２温度が前記設定温度よりも高くなった場合、前記床下空間に供給する冷風の割合を４０〜４９％の範囲に設定するとともに、前記吹出ユニットに供給する冷風の割合を５１〜６０％の範囲に設定しつつ、前記床下空間および前記吹出ユニットから前記コールドアイルに冷風を給気する請求項１または請求項２に記載の情報処理機器室用空調システム。
【請求項４】
前記空調システムでは、前記第１温度が前記設定温度よりも高くなった場合、前記第１温度が前記設定温度以下のときの風量よりも多い風量の冷風を前記床下空間から前記コールドアイルに給気し、前記第１温度が前記設定温度よりも低くなった場合、前記床下空間から前記コールドアイルに供給する冷風の風量を、前記第１温度が前記設定温度よりも高くなったときの風量よりも少なくし、前記第２温度が前記設定温度よりも高くなった場合、前記吹出ユニットから前記コールドアイルに多くの風量の冷風を給気し、前記第２温度が前記設定温度よりも低くなった場合、前記吹出ユニットから前記コールドアイルに給気する冷風の風量を、前記第２温度が前記設定温度よりも高くなったときの風量よりも少なくする請求項３に記載の情報処理機器室用空調システム。
【請求項５】
前記空調機が、前記吹出ユニットに給気する冷風の風量を調節する第１ダンパと、前記床下空間に給気する冷風の風量を調節する第２ダンパとを有し、前記空調システムでは、前記第１および第２ダンパの開度を調節することで前記床下空間に供給する冷風の割合と前記吹出ユニットから給気する冷風の割合とを設定する請求項１ないし請求項４いずれかに記載の情報処理機器室用空調システム。
【請求項６】
前記吹出ユニットが、空気流入口と、上下方向へ並ぶとともに前記一方向へ向かって開口する第１〜第ｎ空気吹出口と、前記空気流入口からそれら空気吹出口に向かって延びる第１〜第ｎ空気流路と、それら空気流路に設置されて該空気流路を通る冷風の風速を調整する第１〜第ｎ風速調節機構とを備え、前記空調システムでは、それら風速調節機構を利用して前記第１〜第ｎ空気吹出口から給気される冷風の速度を調節し、それら吹出口から給気される冷風を前記コールドアイルの中央部および前端部とそれら部の間とに到達させる請求項１ないし請求項５いずれかに記載の情報処理機器室用空調システム。
【請求項７】
前記空調システムでは、前記コールドアイルの前端部およびその近傍に前記吹出ユニットの第１〜第ｎ空気吹出口のうちの上段に位置する吹出口から冷風を給気し、前記コールドアイルの前端部と中央部との間に前記第１〜第ｎ空気吹出口のうちの中段に位置する吹出口から冷風を給気するとともに、前記コールドアイルの中央部およびその近傍に前記第１〜第ｎ空気吹出口のうちの下段に位置する吹出口から冷風を給気する請求項６に記載の情報処理機器室用空調システム。
【請求項８】
前記空調システムが、前記コールドアイルの中央部に位置する床下空間に設置された第１導風機構を含み、前記空調システムでは、前記第１導風機構を利用し、前記床下空間に給気された冷風の多くを前記コールドアイルの後端部および中央部とそれら部の間とに誘導する請求項１ないし請求項７いずれかに記載の情報処理機器室用空調システム。
【請求項９】
前記空調システムが、前記コールドアイルの前端部と中央部との間に延びる天井に設置された第２導風機構を含み、前記空調システムでは、前記第２導風機構を利用し、前記吹出ユニットから給気される冷風を前記コールドアイルの前端部およびその近傍に誘導し、前記吹出ユニットから給気される冷風を前記コールドアイルの前端部と中央部との間に誘導するとともに、前記吹出ユニットから給気される冷風を前記コールドアイルの中央部およびその近傍に誘導する請求項１ないし請求項８いずれかに記載の情報処理機器室用空調システム。
【請求項１０】
前記吹出ユニットから給気される冷風が、コアンダ効果によって前記コールドアイルの天井に沿って前記コールドアイルの前端部および中央部とそれら部の間とに向かうとともに、前記コアンダ効果によって前記コールドアイルと前記ホットアイルとを仕切るたれ壁に沿って前記コールドアイルの前端部および中央部とそれら部の間とに向かう請求項１ないし請求項９いずれかに記載の情報処理機器室用空調システム。
【発明の詳細な説明】
【技術分野】
【０００１】
本発明は、情報処理機器室のサーバラックに収容された複数のサーバを冷却し、それらサーバの故障を防ぐ情報処理機器室用空調システムに関する。
【背景技術】
【０００２】
データセンターでは、空調室に据え付けたサーバラックに収容された複数台のサーバの稼働によってそれらサーバが自己発熱し、それらサーバの温度が上昇してサーバの故障の原因になることから、空調機によってサーバを冷却する必要がある。データセンターのそれらサーバを冷却するデータセンター用空調システムとしては、データセンターの空調室に設置されて前後方向へ延びる複数のサーバラックと、隣接するサーバラックの間に位置して前後方向へ延びるコールドアイルと、隣接するサーバラックの間であってサーバラックを挟んでコールドアイルの反対側に位置し、コールドアイルと並行して前後方向へ延びるホットアイルと、データセンターの空調室に設置された空調機とを有するシステムが知られている。
【０００３】
この空調システムは、空調機によって所定温度に冷却された冷風が空調機から空調室の床下空間に給気されるとともに、冷風が床下空間を通ってコールドアイルに流入し、その冷風がコールドアイルからサーバラックを通流しつつサーバラックに収容されたサーバを冷却する。サーバを冷却した冷風はサーバの熱を吸収した温風に変わり、その温風がサーバラックからホットアイルに流入し、ホットアイルから空調室の天井空間に流入するとともに、天井空間を通って再び空調機に還流する。なお、温風の一部は外気に放出され、残余の温風が外気とともに空調機に流入する。また、床下空間には、サーバラックに収容されたそれらサーバから延びる複数本のケーブルやその他のネットワーク機器から延びる複数本のケーブル、それらケーブルを連結する連結治具等の多数の障害物が収納されている。
【０００４】
サーバラックに収容されたそれらサーバを確実に冷却するためにコールドアイルの天井の上部に前後方向へ並ぶ複数台の局所冷却装置を設置した空調システムが開示されている（特許文献１参照）。この空調システムでは、空調機から床下空間に給気された冷風がサーバラックの下方から上方へ流動しつつラックに収容されたサーバを冷却し、サーバの熱を吸収した温風がサーバラックの上方から流出して局所冷却装置に流入するとともに、空調機に流入する。局所冷却装置に流入した温風は局所冷却装置によって冷却されて冷風に変わり、その冷風がコールドアイルをその上方から下方へ向かって流動しつつサーバラックの側方からラックに流入し、サーバラックに収容されたサーバを冷却する。
【先行技術文献】
【特許文献】
【０００５】
【特許文献１】特開２００９−１３３６１７号公報
【発明の概要】
【発明が解決しようとする課題】
【０００６】
冷風が床下空間からコールドアイルに給気され、サーバの熱を吸収した温風が天井空間から空調機に還流する空調システムでは、床下空間に給気された冷風の送風圧力が空調機から離れるにしたがって次第に低下し、空調機から離れた中距離や遠距離に位置するコールドアイルに給気される冷風の風量が減少するから、空調機から中距離や遠距離に位置するサーバラックに収容されたサーバの温度が上昇した場合、そのサーバを十分に冷却することができない場合がある。さらに、床下空間には既述のようにケーブルや連結治具等の障害物が収納されているから、床下空間に給気された冷風がそれら障害物に衝突し、冷風の送風圧力がそれら障害物によって一層低下してしまう。また、床下空間からコールドアイルに冷風を給気中に、サーバの稼働状況やサーバラックからの気流の逆流等の気流の乱れによってコールドアイルの所定の箇所に熱溜まりが発生する場合があるが、このシステムでは、コールドアイルに発生した熱溜まりを冷却することができず、熱溜まりを解消することができない。コールドアイルに熱溜まりが存在すると、熱溜まり近傍のサーバの温度を低下させることができず、温度が高い状態でサーバが稼働を継続することになり、サーバの故障の原因になる。
【０００７】
前記特許文献１に開示の空調システムでは、コールドアイル全域をその上方から満遍なく冷却することができるが、空調機とは別に複数台の局所冷却装置を設置し、それら局所冷却装置のすべてを稼働させる必要があるから、サーバの冷却時に大量のエネルギーが消費され、システムにおける省エネルギー化を図ることができない。
【０００８】
本発明の目的は、コールドアイルに位置するすべてのサーバラックに冷風を満遍なく給気することができ、空調機から離れた中距離や遠距離に位置するサーバラックに収容されたサーバの温度が上昇したとしても、そのサーバを十分に冷却することができる情報処理機器室用空調システムを提供することにある。本発明の他の目的は、コールドアイルの所定の箇所に発生した熱溜まりを冷却することができ、その熱溜まりを解消することができる情報処理機器室用空調システムを提供することにある。さらに、サーバの冷却に使用するエネルギーを少なくすることができ、システムにおける省エネルギー化を図ることができる情報処理機器室用空調システムを提供することにある。
【課題を解決するための手段】
【０００９】
前記課題を解決するための本発明の前提は、一方向へ延びていて一方向と交差する交差方向へ離間して並ぶ複数のサーバラックと、隣接するサーバラックの間に位置して一方向へ延びるコールドアイルと、隣接するサーバラックの間であってサーバラックを挟んでコールドアイルの反対側に位置し、コールドアイルと並行して一方向へ延びるホットアイルと、コールドアイルに所定温度の冷風を給気する空調機とを備え、空調機から給気された冷風が床下空間を通ってコールドアイルに流入し、冷風がコールドアイルからサーバラックを通流しつつサーバラックに収容されたサーバを冷却することでサーバの熱を吸収した温風に変わり、温風がサーバラックからホットアイルに流入しつつホットアイルから空調機に還流する情報処理機器室用空調システムである。
【００１０】
前記前提における本発明の特徴として、空調機には、サーバラックよりも上方に配置されてコールドアイルの後端部から前端部に向かって一方向へ冷風を給気する吹出ユニットが接続され、空調システムが、コールドアイルの後端部と中央部との間に延びるサーバラックに設置され、サーバラックが存在するコールドアイルの第１温度を計測する第１温度センサと、コールドアイルの中央部と前端部との間に延びるサーバラックに設置され、サーバラックが存在するコールドアイルの第２温度を計測する第２温度センサとを含み、空調システムでは、第１および第２温度センサが計測した第１および第２温度とあらかじめ設定された設定温度とを比較し、第１および第２温度が設定温度以下の場合、吹出ユニットから冷風を給気することなく床下空間からコールドアイルに冷風を給気し、第１および第２温度が設定温度よりも高くなった場合、床下空間に供給する冷風の割合を略５０％に設定するとともに、吹出ユニットに供給する冷風の割合を略５０％に設定しつつ、床下空間からコールドアイルに冷風を給気するとともに、コールドアイルの中央部および前端部とそれら部の間とに位置するサーバラックに向かって吹出ユニットから冷風を給気することにある。
【００１１】
本発明の他の一例として、空調システムでは、第１および第２温度が設定温度よりも高くなった場合、第１温度が設定温度以下のときの風量よりも多い風量の冷風を床下空間から前記コールドアイルに給気するとともに、吹出ユニットからコールドアイルに多くの風量の冷風を給気し、第１および第２温度が設定温度よりも低くなった場合、床下空間および吹出ユニットからコールドアイルに給気する冷風の風量を第１および第２温度が設定温度よりも高くなったときの風量よりも少なくする。
【００１２】
本発明の他の一例としては、空調システムが、コールドアイルの後端部と中央部との間に延びるサーバラックに設置され、サーバラックが存在するコールドアイルの第１温度を計測する第１温度センサと、コールドアイルの中央部と前端部との間に延びるサーバラックに設置され、サーバラックが存在するコールドアイルの第２温度を計測する第２温度センサとを含み、空調システムでは、第１および第２温度センサが計測した第１および第２温度とあらかじめ設定された設定温度とを比較し、第１および第２温度が設定温度以下の場合、吹出ユニットから冷風を給気することなく床下空間からコールドアイルに冷風を給気し、第１温度が設定温度よりも高くなった場合、床下空間に供給する冷風の割合を５１〜６０％の範囲に設定するとともに、吹出ユニットに供給する冷風の割合を４０〜４９％の範囲に設定しつつ、床下空間および吹出ユニットからコールドアイルに冷風を給気し、第２温度が設定温度よりも高くなった場合、床下空間に供給する冷風の割合を４０〜４９％の範囲に設定するとともに、吹出ユニットに供給する冷風の割合を５１〜６０％の範囲に設定しつつ、床下空間および吹出ユニットから前記コールドアイルに冷風を給気する。
【００１３】
本発明の他の一例としては、空調システムでは、第１温度が設定温度よりも高くなった場合、第１温度が設定温度以下のときの風量よりも多い風量の冷風を床下空間からコールドアイルに給気し、第１温度が設定温度よりも低くなった場合、床下空間からコールドアイルに供給する冷風の風量を第１温度が設定温度よりも高くなったときの風量よりも少なくし、第２温度が設定温度よりも高くなった場合、吹出ユニットからコールドアイルに多くの風量の冷風を給気し、第２温度が設定温度よりも低くなった場合、吹出ユニットからコールドアイルに給気する冷風の風量を第２温度が設定温度よりも高くなったときの風量よりも少なくする。
【００１４】
本発明の他の一例としては、空調機が、吹出ユニットに給気する冷風の風量を調節する第１ダンパと、床下空間に給気する冷風の風量を調節する第２ダンパとを有し、空調システムでは、第１および第２ダンパの開度を調節することで床下空間に供給する冷風の割合と吹出ユニットから給気する冷風の割合とを設定する。
【００１５】
本発明の他の一例としては、吹出ユニットが、空気流入口と、上下方向へ並ぶとともに一方向へ向かって開口する第１〜第ｎ空気吹出口と、空気流入口からそれら空気吹出口に向かって延びる第１〜第ｎ空気流路と、それら空気流路に設置されて空気流路を通る冷風の風速を調整する第１〜第ｎ風速調節機構とを備え、空調システムでは、それら風速調節機構を利用して第１〜第ｎ空気吹出口から給気される冷風の速度を調節し、それら吹出口から給気される冷風をコールドアイルの中央部および前端部とそれら部の間とに到達させる。
【００１６】
本発明の他の一例として、空調システムでは、コールドアイルの前端部およびその近傍に吹出ユニットの第１〜第ｎ空気吹出口のうちの上段に位置する吹出口から冷風を給気し、コールドアイルの前端部と中央部との間に第１〜第ｎ空気吹出口のうちの中段に位置する吹出口から冷風を給気するとともに、コールドアイルの中央部およびその近傍に第１〜第ｎ空気吹出口のうちの下段に位置する吹出口から冷風を給気する。
【００１７】
本発明の他の一例としては、空調システムが、コールドアイルの中央部に位置する床下空間に設置された第１導風機構を含み、空調システムでは、第１導風機構を利用し、床下空間に給気された冷風の多くをコールドアイルの後端部および中央部とそれら部の間とに誘導する。
【００１８】
本発明の他の一例としては、空調システムが、コールドアイルの前端部と中央部との間に延びる天井に設置された第２導風機構を含み、空調システムでは、第２導風機構を利用し、吹出ユニットから給気される冷風をコールドアイルの前端部およびその近傍に誘導し、吹出ユニットから給気される冷風をコールドアイルの前端部と中央部との間に誘導するとともに、吹出ユニットから給気される冷風をコールドアイルの中央部およびその近傍に誘導する。
【００１９】
本発明の他の一例としては、吹出ユニットから給気される冷風が、コアンダ効果によってコールドアイルの天井に沿ってコールドアイルの前端部および中央部とそれら部の間とに向かうとともに、コアンダ効果によってコールドアイルとホットアイルとを仕切るたれ壁に沿ってコールドアイルの前端部および中央部とそれら部の間とに向かう。
【発明の効果】
【００２０】
本発明にかかる情報処理機器室用空調システムによれば、コールドアイルの温度に応じて床下空間からコールドアイルに冷風を給気しつつ、コールドアイルの中央部および前端部とそれら部の間とに位置するサーバラックに向かって吹出ユニットから冷風を給気するから、床下空間から給気された冷風の送風圧力が距離や障害物によって低下し、床下空間から中距離や遠距離に位置するサーバラックに十分な冷風が給気されない場合でも、空調機から離れた中距離や遠距離に位置するサーバラックに吹出ユニットから冷風を給気することで、床下空間および吹出ユニットからコールドアイルに位置するすべてのサーバラックに冷風を満遍なく給気することができる。空調システムは、床下空間のみから冷風を給気する場合と比較し、空調機から近距離に位置するサーバラックに収容されたサーバのみならず、空調機から中距離や遠距離に位置するサーバラックに収容されたサーバの温度が上昇したとしても、そのサーバを十分に冷却することができ、サーバの故障を防ぐことができる。空調システムは、空調機に接続された吹出ユニットからコールドアイルの中央部および前端部とそれら部の間とに冷風を給気するから、前記特許文献１に開示の空調システムのように空調機の他に複数台の局所冷却装置を設置する必要はなく、サーバの冷却に使用するエネルギーを少なくすることができ、システムにおける省エネルギー化を図ることができる。
【００２１】
情報処理機器室用空調システムは、コールドアイルの後端部と中央部との間に延びるサーバラックに設置されてコールドアイルの第１温度を計測する第１温度センサと、コールドアイルの中央部と前端部との間に延びるサーバラックに設置されてコールドアイルの第２温度を計測する第２温度センサとを含み、第１および第２温度センサが計測した第１および第２温度とあらかじめ設定された設定温度とを比較し、第１および第２温度が設定温度以下の場合、吹出ユニットから冷風を給気することなく床下空間からコールドアイルに冷風を給気し、第１および第２温度が設定温度よりも高くなった場合、床下空間に供給する冷風の割合を略５０％に設定するとともに、吹出ユニットに供給する冷風の割合を略５０％に設定しつつ、床下空間および吹出ユニットからコールドアイルに冷風を給気する場合、第１および第２温度が設定温度以下の場合、床下空間のみからコールドアイルに冷風を給気することで、サーバの冷却に十分に対応することができるが、コールドアイルの前端部や中央部、後端部、それら部の間のいずれかに存在するサーバの温度が上昇し、または、コールドアイルの前端部や中央部、後端部、それら部の間のいずれかに存在するサーバの熱による熱溜まりが発生することで、第１および第２温度が設定温度よりも高くなった場合、前端部と後端部との間に延びるサーバラックに収容されたサーバを一層冷却する必要があるとともに、発生した熱溜まりを解消する必要があり、その場合、床下空間のみならず吹出ユニットからも冷風を供給することで、コールドアイルの前端部や中央部、後端部、それら部の間に十分な冷風を満遍なく給気することができるから、前端部から後端部に延びるサーバラックに収容されたサーバを確実に冷却することができ、発生した熱溜まりを冷却することができるとともに、その熱溜まりを解消することができる。空調システムは、床下空間からコールドアイルに略５０％の割合の冷風を給気しつつ、吹出ユニットからコールドアイルの中央部および前端部とそれら部の間とに位置するサーバラックに略５０％の割合の冷風を給気するから、床下空間と吹出ユニットとからコールドアイルに位置するすべてのサーバラックに略均一の風量の冷風を満遍なく給気することができ、空調機から近い近距離に位置するサーバラックに収容されたサーバのみならず、空調機から離れた中距離や遠距離に位置するサーバラックに収容されたサーバを十分に冷却することができる。空調システムは、温度が上昇したサーバや発生した熱溜まりに十分な冷風を給気することができるから、サーバの温度上昇を防ぐことができ、温度上昇にともなうサーバの故障を防ぐことができる。空調システムは、空調機から温度が上昇した前端部や中央部、後端部、それら部の間に冷風を給気し、それによって各部に存在するサーバを冷却するから、前記特許文献１に開示の空調システムのように空調機の他に複数台の局所冷却装置を設置する必要はなく、サーバの冷却に使用するエネルギーを少なくすることができ、システムにおける省エネルギー化を図ることができる。
【００２２】
第１および第２温度が設定温度よりも高くなった場合、第１温度が設定温度以下のときの風量よりも多い風量の冷風を床下空間からコールドアイルに給気するとともに、吹出ユニットからコールドアイルに多くの風量の冷風を給気し、第１および第２温度が設定温度よりも低くなった場合、床下空間および吹出ユニットからコールドアイルに給気する冷風の風量を第１および第２温度が設定温度よりも高くなったときの風量よりも少なくする情報処理機器室用空調システムは、コールドアイルの前端部や中央部、後端部、それら部の間に存在するサーバの温度が上昇し、または、コールドアイルの前端部や中央部、後端部、それら部の間に存在するサーバの熱による熱溜まりが発生することで、第１および第２温度が設定温度よりも高くなった場合、前端部や中央部、後端部、それら部の間に延びるサーバラックに収容されたサーバを一層冷却する必要があるとともに、発生した熱溜まりを解消する必要があるが、その場合、床下空間や吹出ユニットから給気する冷風の風量を増加させることで、コールドアイルの前端部や中央部、後端部、それら部の間に十分な風量の冷風を給気することができるから、前端部や中央部、後端部、それら部の間に延びるサーバラックに収容されたサーバを確実に冷却することができ、発生した熱溜まりを冷却することができるとともに、その熱溜まりを解消することができる。空調システムは、第１および第２温度が設定温度よりも低くなった場合、床下空間および吹出ユニットからコールドアイルに給気する冷風の風量を第１および第２温度が設定温度よりも高くなったときの風量よりも少なくするから、第１および第２温度が設定温度よりも低い場合に、サーバラックに収容されたサーバを必要以上に冷却することはなく、無駄な冷風送風エネルギーの消費を防ぐことができ、システムにおける省エネルギー化を図ることができる。
【００２３】
コールドアイルの後端部と中央部との間に延びるサーバラックに設置されてコールドアイルの第１温度を計測する第１温度センサと、コールドアイルの中央部と前端部との間に延びるサーバラックに設置されてコールドアイルの第２温度を計測する第２温度センサとを含み、第１および第２温度とあらかじめ設定された設定温度とを比較し、第１および第２温度が設定温度以下の場合、吹出ユニットから冷風を給気することなく床下空間からコールドアイルに冷風を給気し、第１温度が設定温度よりも高くなった場合、床下空間に供給する冷風の割合を５１〜６０％の範囲に設定するとともに、吹出ユニットに供給する冷風の割合を４０〜４９％の範囲に設定しつつ、床下空間および吹出ユニットからコールドアイルに冷風を給気し、第２温度が設定温度よりも高くなった場合、床下空間に供給する冷風の割合を４０〜４９％の範囲に設定するとともに、吹出ユニットに供給する冷風の割合を５１〜６０％の範囲に設定しつつ、床下空間および吹出ユニットからコールドアイルに冷風を給気する情報処理機器室用空調システムは、第１および第２温度が設定温度以下の場合、床下空間のみからコールドアイルに冷風を給気することで、サーバの冷却に十分に対応することができるが、コールドアイルの後端部および中央部とそれら部の間とのいずれかに存在するサーバの温度が上昇し、または、コールドアイルの後端部および中央部とそれら部の間とのいずれかに存在するサーバの熱による熱溜まりが発生することで、第１温度が設定温度よりも高くなった場合、後端部と中央部との間に延びるサーバラックに収容されたサーバを一層冷却する必要があるとともに、発生した熱溜まりを解消する必要があり、その場合、床下空間に供給する冷風の割合を５１〜６０％の範囲に設定し、吹出ユニットから給気する冷風の割合を４０〜４９％の範囲に設定しつつ、床下空間および吹出ユニットからコールドアイルに冷風を給気することで、コールドアイルの後端部および中央部とそれら部の間に十分な風量の冷風を給気することができるから、後端部と中央部との間に延びるサーバラックに収容されたサーバを確実に冷却することができ、発生した熱溜まりを冷却することができるとともに、その熱溜まりを解消することができる。空調システムは、コールドアイルの中央部および前端部とそれら部の間とのいずれかに存在するサーバの温度が上昇し、または、コールドアイルの中央部および前端部とそれら部の間とのいずれかにサーバの熱による熱溜まりが発生することで、第２温度が設定温度よりも高くなった場合、中央部と前端部との間に延びるサーバラックに収容されたサーバを一層冷却する必要があるとともに、発生した熱溜まりを解消する必要があり、その場合、床下空間に供給する冷風の割合を４０〜４９％の範囲に設定し、吹出ユニットから給気する冷風の割合を５１〜６０％の範囲に設定しつつ、床下空間および吹出ユニットからコールドアイルに冷風を給気することで、コールドアイルの中央部および前端部とそれら部の間に十分な風量の冷風を給気することができるから、中央部と前端部との間に延びるサーバラックに収容されたサーバを確実に冷却することができ、発生した熱溜まりを冷却することができるとともに、その熱溜まりを解消することができる。空調システムは、温度が上昇したサーバや発生した熱溜まりに十分な冷風を給気することができるから、サーバの温度上昇を防ぐことができ、温度上昇にともなうサーバの故障を防ぐことができる。空調システムは、空調機から温度が上昇した前端部や中央部、後端部、それら部の間に冷風を給気し、それによって各部に存在するサーバを冷却するから、前記特許文献１に開示の空調システムのように空調機の他に複数台の局所冷却装置を設置する必要はなく、サーバの冷却に使用するエネルギーを少なくすることができ、システムにおける省エネルギー化を図ることができる。
【００２４】
第１温度が設定温度よりも高くなった場合、第１温度が設定温度以下のときの風量よりも多い風量の冷風を床下空間からコールドアイルに給気し、第１温度が設定温度よりも低くなった場合、床下空間からコールドアイルに供給する冷風の風量を第１温度が設定温度よりも高くなったときの風量よりも少なくし、第２温度が設定温度よりも高くなった場合、吹出ユニットからコールドアイルに多くの風量の冷風を給気し、第２温度が設定温度よりも低くなった場合、吹出ユニットからコールドアイルに給気する冷風の風量を第２温度が設定温度よりも高くなったときの風量よりも少なくする情報処理機器室用空調システムは、コールドアイルの後端部および中央部とそれら部の間とのいずれかに存在するサーバの温度が上昇し、または、コールドアイルの後端部および中央部とそれら部の間とのいずれかに存在するサーバの熱による熱溜まりが発生することで、第１温度が設定温度よりも高くなった場合、後端部と中央部との間に延びるサーバラックに収容されたサーバを一層冷却する必要があるとともに、発生した熱溜まりを解消する必要があるが、その場合、床下空間から給気する冷風の風量を増加させることで、コールドアイルの後端部および中央部とそれら部の間に十分な風量の冷風を給気することができるから、後端部と中央部との間に延びるサーバラックに収容されたサーバを確実に冷却することができ、発生した熱溜まりを冷却することができるとともに、その熱溜まりを確実に解消することができる。空調システムは、第１温度が設定温度よりも低くなった場合、床下空間からコールドアイルに給気する冷風の風量を第１温度が設定温度よりも高くなったときの風量よりも少なくするから、第１温度が設定温度よりも低い場合に、サーバラックに収容されたサーバを必要以上に冷却することはなく、無駄な冷風送風エネルギーの消費を防ぐことができ、システムにおける省エネルギー化を図ることができる。空調システムは、コールドアイルの中央部および前端部とそれら部の間とのいずれかに存在するサーバの温度が上昇し、または、コールドアイルの中央部および前端部とそれら部の間とのいずれかに存在するサーバの熱による熱溜まりが発生することで、第２温度が設定温度よりも高くなった場合、中央部と前端部との間に延びるサーバラックに収容されたサーバを一層冷却する必要があるとともに、発生した熱溜まりを解消する必要があるが、その場合、吹出ユニットから給気する冷風の風量を増加させることで、コールドアイルの中央部および前端部とそれら部の間に十分な風量の冷風を給気することができるから、中央部と前端部との間に延びるサーバラックに収容されたサーバを確実に冷却することができ、発生した熱溜まりを冷却することができるとともに、その熱溜まりを確実に解消することができる。空調システムは、第２温度が設定温度よりも低くなった場合、吹出ユニットからコールドアイルに給気する冷風の風量を第２温度が設定温度よりも高くなったときの風量よりも少なくするから、第２温度が設定温度よりも低い場合に、サーバラックに収容されたサーバを必要以上に冷却することはなく、無駄な冷風送風エネルギーの消費を防ぐことができ、システムにおける省エネルギー化を図ることができる。
【００２５】
吹出ユニットに給気する冷風の風量を調節する第１ダンパと、床下空間に給気する冷風の風量を調節する第２ダンパとを有し、第１および第２ダンパの開度を調節することで床下空間に供給する冷風の割合と吹出ユニットから給気する冷風の割合とを設定する情報処理機器室用空調システムは、第１および第２温度が設定温度よりも高くなった場合、第１および第２ダンパの開度を調節することで、床下空間に供給する冷風の割合を略５０％に設定することができるとともに、吹出ユニットから給気する冷風の割合を略５０％に設定することができるから、床下空間と吹出ユニットとからコールドアイルに位置するすべてのサーバラックに略均一の風量の冷風を満遍なく給気することができ、空調機から近い近距離に位置するサーバラックに収容されたサーバのみならず、空調機から離れた中距離や遠距離に位置するサーバラックに収容されたサーバを十分に冷却することができる。空調システムは、第１温度が設定温度よりも高くなった場合、第１および第２ダンパの開度を調節することで、床下空間に供給する冷風の割合を５１〜６０％の範囲に設定することができるとともに、吹出ユニットに供給する冷風の割合を４０〜４９％の範囲に設定することができるから、コールドアイルの後端部および中央部とそれら部の間に十分な風量の冷風を給気することができ、後端部と中央部との間に延びるサーバラックに収容されたサーバを確実に冷却することができるとともに、発生した熱溜まりを冷却することができ、その熱溜まりを解消することができる。空調システムは、第２温度が設定温度よりも高くなった場合、第１および第２ダンパの開度を調節することで、床下空間に供給する冷風の割合を４０〜４９％の範囲に設定することができるとともに、吹出ユニットに供給する冷風の割合を５１〜６０％の範囲に設定することができるから、コールドアイルの中央部および前端部とそれら部の間に十分な風量の冷風を給気することができ、中央部と前端部との間に延びるサーバラックに収容されたサーバを確実に冷却することができるとともに、発生した熱溜まりを冷却することができ、その熱溜まりを解消することができる。
【００２６】
吹出ユニットが第１〜第ｎ空気吹出口および第１〜第ｎ空気流路とそれら空気流路を通る冷風の風速を調整する第１〜第ｎ風速調節機構とを備え、それら風速調節機構を利用して第１〜第ｎ空気吹出口から給気される冷風の速度を調節し、それら吹出口から給気される冷風をコールドアイルの中央部および前端部とそれら部の間とに到達させる情報処理機器室用空調システムは、第１〜第ｎ風速調節機構を利用することで、第１〜第ｎ空気吹出口から給気される冷風をコールドアイルの中央部および前端部とそれら部の間とに到達させることができるから、空調機から離れた中距離や遠距離に位置するサーバラックに冷風を給気することができるとともに、床下空間と吹出ユニットとからコールドアイルに位置するすべてのサーバラックに冷風を満遍なく給気することができ、空調機から近い近距離に位置するサーバラックに収容されたサーバのみならず、空調機から中距離や遠距離に位置するサーバラックに収容されたサーバを十分に冷却することができる。空調システムは、吹出ユニットからコールドアイルの中央部および前端部とそれら部の間に十分な風量の冷風を給気することができるから、中央部と前端部との間に延びるサーバラックに収容されたサーバを確実に冷却することができ、発生した熱溜まりを冷却することができるとともに、その熱溜まりを解消することができる。
【００２７】
コールドアイルの前端部およびその近傍に吹出ユニットの第１〜第ｎ空気吹出口のうちの上段に位置する吹出口から冷風を給気し、コールドアイルの前端部と中央部との間に第１〜第ｎ空気吹出口のうちの中段に位置する吹出口から冷風を給気するとともに、コールドアイルの中央部およびその近傍に第１〜第ｎ空気吹出口のうちの下段に位置する吹出口から冷風を給気する情報処理機器室用空調システムは、吹出ユニットの第１〜第ｎ空気吹出口の上段や中段、下段に位置する吹出口から給気される冷風をコールドアイルの中央部および前端部とそれら部の間とに到達させることができるから、空調機から離れた中距離や遠距離に位置するサーバラックに冷風を給気することができるとともに、床下空間と吹出ユニットとからコールドアイルに位置するすべてのサーバラックに冷風を満遍なく給気することができ、空調機から近い近距離に位置するサーバラックに収容されたサーバのみならず、空調機から中距離や遠距離に位置するサーバラックに収容されたサーバを十分に冷却することができる。空調システムは、吹出ユニットからコールドアイルの中央部および前端部とそれら部の間に十分な風量の冷風を給気することができるから、中央部と前端部との間に延びるサーバラックに収容されたサーバを確実に冷却することができ、発生した熱溜まりを冷却することができるとともに、その熱溜まりを解消することができる。
【００２８】
コールドアイルの中央部に位置する床下空間に設置された第１導風機構を含み、第１導風機構を利用して床下空間に給気された冷風の多くをコールドアイルの後端部および中央部とそれら部の間とに誘導する情報処理機器室用空調システムは、第１導風機構によって床下空間に給気された冷風の多くがコールドアイルの後端部および中央部とそれら部の間とに誘導されるから、床下空間に給気された冷風を利用してコールドアイルの後端部および中央部とそれら部の間に十分な風量の冷風を給気することができ、後端部と中央部との間に延びるサーバラックに収容されたサーバを確実に冷却することができる。
【００２９】
コールドアイルの前端部と中央部との間に延びる天井に設置された第２導風機構を含み、第２導風機構を利用し、吹出ユニットから給気される冷風をコールドアイルの前端部およびその近傍に誘導し、吹出ユニットから給気される冷風をコールドアイルの前端部と中央部との間に誘導するとともに、吹出ユニットから給気される冷風をコールドアイルの中央部およびその近傍に誘導する情報処理機器室用空調システムは、第２導風機構を利用して吹出ユニットから給気される冷風をコールドアイルの中央部および前端部とそれら部の間とに向かわせることができるから、空調機から離れた中距離や遠距離に位置するサーバラックに冷風を給気することができるとともに、床下空間と吹出ユニットとからコールドアイルに位置するすべてのサーバラックに冷風を満遍なく給気することができ、空調機から近い近距離に位置するサーバラックに収容されたサーバのみならず、空調機から中距離や遠距離に位置するサーバラックに収容されたサーバを確実に冷却することができる。空調システムは、コールドアイルの中央部および前端部とそれら部の間とのいずれかに熱溜まりが発生した場合、第２導風機構を利用することで、吹出ユニットの空気吹出口からその熱溜まりに冷風を確実に向かわせることができ、その熱溜まりを冷却することができるとともに、その熱溜まりを解消することができる。
【００３０】
吹出ユニットから給気される冷風がコアンダ効果によってコールドアイルの天井に沿ってコールドアイルの前端部および中央部とそれら部の間とに向かうとともに、コアンダ効果によってコールドアイルとホットアイルとを仕切るたれ壁に沿ってコールドアイルの前端部および中央部とそれら部の間とに向かう情報処理機器室用空調システムは、冷風がコアンダ効果によってコールドアイルの中央部および前端部とそれら部の間とに届き、コールドアイルにおいて冷風が四方へ分散することによる中央部および前端部とそれら部の間とへの冷風の未到達を防ぐことができるから、コールドアイルの中央部および前端部とそれら部の間とに冷風を給気することができ、空調機から離れた中距離や遠距離に位置するサーバラックに収容されたサーバを十分に冷却することができる。空調システムは、コールドアイルの中央部および前端部とそれら部の間とのいずれかに熱溜まりが発生した場合、コアンダ効果によって冷風をその熱溜まりに確実に給気することができ、その熱溜まりを冷却することができるとともに、その熱溜まりを解消することができる。
【図面の簡単な説明】
【００３１】
【図１】一例として示す情報処理機器室用空調システムを設置したデータセンターの空調室および機械室の側面図。
【図２】情報処理機器室用空調システムを設置した空調室の正面図。
【図３】情報処理機器室用空調システムを設置した空調室および機械室の上面図。
【図４】一例として示す第１〜第３吹出ユニットの側面図。
【図５】一例として示す導風機構の正面図。
【図６】図５の導風機構の側面図。
【図７】他の一例として示す導風機構の正面図。
【図８】図７の導風機構の側面図。
【図９】他の一例として示す導風機構の正面図。
【図１０】図９の導風機構の側面図。
【図１１】コントローラの記憶デバイスに格納された空調パターンテーブルの一例を示す図。
【図１２】空調システムにおいて実施される各空調運転を説明するフローチャート。
【図１３】図１２から続くフローチャート。
【図１４】情報処理機器室用空調システムにおける通常モードの空調運転を説明する図１と同様の側面図。
【図１５】情報処理機器室用空調システムにおける通常モードの空調運転を説明する図２と同様の正面図。
【図１６】情報処理機器室用空調システムにおける高温解消モードの空調運転を説明する図１と同様の側面図。
【図１７】コールドエリアＡ，Ｂに熱溜まりが発生した状態を概念的に示す図１と同様の側面図。
【図１８】情報処理機器室用空調システムにおける高温解消モードの空調運転を説明する図２と同様の正面図。
【図１９】情報処理機器室用空調システムにおける高温解消モードの空調運転の他の一例を説明する図１と同様の側面図。
【図２０】情報処理機器室用空調システムにおける高温解消モードの空調運転の他の一例を説明する図１と同様の側面図。
【発明を実施するための形態】
【００３２】
一例として示す情報処理機器室用空調システム１０を設置したデータセンター１１の空調室１２および機械室２７の側面図である図１等の添付の図面を参照し、本発明にかかる情報処理機器室用空調システムの詳細を説明すると、以下のとおりである。
【００３３】
なお、図２は、情報処理機器室用空調システム１０を設置した空調室１２の正面図であり、図３は、情報処理機器室用空調システム１０を設置した空調室１２および機械室２７の上面図である。図４は、一例として示す第１〜第３吹出ユニット２０ａ〜２０ｃの側面図であり、図５は、一例として示す導風機構４８ａの正面図である。図６は、図５の導風機構４８ａの側面図であり、図７は、他の一例として示す導風機構４８ｂの正面図である。図８は、図７の導風機構４８ｂの側面図であり、図９は、他の一例として示す導風機構４８ｃの正面図である。図１０は、図９の導風機構４８ｃの側面図である。図２では、第１導風機構３６の図示を省略している。
【００３４】
情報処理機器室空調システム１０は、データセンター１１に設置され、データセンター１１の空調室１２（情報処理機器室）に据え付けられたサーバラック１３（情報処理機器収納専用ラック）に収容された複数台のサーバ（図示せず）の冷却に利用される。なお、空調システム１０は、データセンター１１の空調室１２のみならず、複数台のサーバ（その他のネットワーク機器を含む）が設置され、それらサーバを冷却する必要がある各種の室に利用することができる。
【００３５】
空調システム１０は、空調室１２に据え付けられた複数のサーバラック１３と、コールドアイル１４およびホットアイル１５と、第１〜第３空調機１６ａ〜１６ｃ（空調機）と、複数の第１温度センサ１７ａ〜１７ｆと、複数の第２温度センサ１８ａ〜１８ｆと、第３温度センサ１９と、第１〜第３吹出ユニット２０ａ〜２０ｃと、コントローラ２１（制御装置）とから構成されている。
【００３６】
なお、図３では、３台の第１〜第３空調機１６ａ〜１６ｃおよび３台の第１〜第３吹出ユニット２０ａ〜２０ｃを図示しているが、空調機や吹出ユニットの台数に特に制限はなく、空調室１２の容積やそこに据え付けられるサーバラック１３の数によって４台以上の空調機や吹出ユニットが設置されてもよく、１台の空調機や吹出ユニットが設置されてもよい。
【００３７】
サーバラック１３は、複数のそれらが前後方向（一方向）へ連続して並ぶとともに、横方向（一方向と交差する交差方向）へ等間隔離間して並び、横方向へ互いに並行するように空調室１２に据え付けられている。サーバラック１３には、図示はしていないが、複数台のサーバ（その他のネットワーク機器を含む）が設置・固定されている。それらサーバは、電源装置に接続され、その稼働時に運転熱によって自己発熱し、その温度が上昇する。
【００３８】
コールドアイル１４は、隣接するサーバラック１３の間に位置して前後方向へ延びている。コールドアイル１４は、第１〜第３吹出ユニット２０ａ〜２０ｃから前方へ離間する前端部２２と、吹出ユニット２０ａ〜２０ｃの直前の後端部２４と、前端部２２および後端部２４の間の中央部２３とを有する。前端部２２は、吹出ユニット２０ａ〜２０ｃから離れた遠距離に位置し、中央部２３は、吹出ユニット２０ａ〜２０ｃから中距離に位置する。後端部２４は、吹出ユニット２０ａ〜２０ｃから近い近距離に位置する。
【００３９】
コールドアイル１４は、天井５５（天井パネル）や床５６（床パネル）、側壁と、隣接するサーバラック１３と、それらサーバラック１３の頂部２５と天井５５との間に位置して上下方向へ延びるたれ壁２６（図２参照）とに囲繞されている。コールドアイル１４は、通行可能な所定の容積を有し、冷風（冷却空気）が通流する。コールドアイル１４の床５６には、図示はしていないが、前後方向へ延びる冷風吹出開口パネルが施設されている。
【００４０】
ホットアイル１５は、隣接するサーバラック１３の間であってサーバラック１３を挟んでコールドアイル１４の反対側に位置し、コールドアイル１４と並行して前後方向へ延びている。ホットアイル１５は、天井５５（天井パネル）や床５６（床パネル）、側壁と、隣接するサーバラック１３と、たれ壁２６とに囲繞されている。ホットアイル１５は、通行可能な所定の容積を有し、温風（加熱空気）が通流する。ホットアイル１５の天井５５には、図示はしていないが、前後方向へ延びる温風吸込開口が施設されている。コールドアイル１４とホットアイル１５とは、サーバラック１３およびたれ壁２６によって仕切られている。
【００４１】
第１〜第３空調機１６ａ〜１６ｃは、床置き型であり、側壁を隔てて空調室１２に隣接する機械室２７の床に設置されている。それら空調機１６ａ〜１６ｃは、空調室１２から還流した温風と外気との混合気を冷却して空調された所定温度の冷風を作り、その冷風を空調室１２のコールドアイル１４に給気する。空調機１６ａ〜１６ｃには、空冷／インバータ型が使用されているが、空冷式や水冷式の空調機を使用することもできる。
【００４２】
それら空調機１６ａ〜１６ｃには、空調室１２からの還流空気と外気との混合気の吸気口２８が設置され、その内部に冷却コイル２９と送風ファン３０とフィルタ（図示せず）と加湿器（図示せず）とが設置されている。送風ファン３０は、インバータ制御によってその出力（送風能力）が調節される。なお、送風ファン３０の台数に特に制限はなく、吹出ユニット２０ａ〜２０ｃと床下空間３４とに対する給気分担や冗長性設計のために１台または複数台の送風ファン３０が空調機１６ａ〜１６ｃに設置される。それら空調機１６ａ〜１６ｃの頂部には、第１給気ダクト３１が接続され、それら空調機１６ａ〜１６ｃの底部には、第２給気ダクト３２が接続されている。
【００４３】
第１給気ダクト３１は、空調機１６ａ〜１６ｃの頂部から上方へ向かって延出し、その先端部に吹出ユニット２０ａ〜２０ｃが接続されている。第１給気ダクト３１には、第１モータダンパ３３（第１ダンパ）（ＭＤ）が設置されている。第１給気ダクト３１では、第１モータダンパ３３の開度（モータダンパ３３の旋回羽根の旋回角度）によってそこを通る冷風の風量が調節される。
【００４４】
第１空調機１６ａには、第１給気ダクト３１を介して第１吹出ユニット２０ａが接続され、第２空調機１６ｂには、第１給気ダクト３１を介して第２吹出ユニット２０ｂが接続されているとともに、第３空調機１６ｃには、第１給気ダクト３１を介して第３吹出ユニット２０ｃが接続されている。
【００４５】
第２給気ダクト３２は、空調機１６ａ〜１６ｃの底部から前方へ向かって延出し、その先端部が側壁を貫通して空調室１２の床下空間３４に配置されている。第２給気ダクト３２には、第２モータダンパ３５（第２ダンパ）（ＭＤ）が設置されている。第２給気ダクト３２では、第２モータダンパ３５の開度（モータダンパ３５の旋回羽根の旋回角度）によってそこを通る冷風の風量が調節される。
【００４６】
第１〜第３空調機１６ａ〜１６ｃそれぞれの底部から延びるそれら第２給気ダクト３２の先端部が空調室１２の床下空間３４に位置している。コールドアイル１４の中央部２３に位置する床下空間３４には、第１導風機構３６（風向板）が設置されている。第１導風機構３６は、床５６から床下空間３４に向かって垂下している。第１導風機構３６は、空間３４における冷風の流れをコントロールするとともに、コールドアイル１４の風速分布を適正に整える。床下空間３４には、図示はしていないが、サーバラック１３に収容されたそれらサーバから延びる複数本のケーブルやその他のネットワーク機器から延びる複数本のケーブル、それらケーブルを連結する連結治具等の多数の障害物が収納されている。
【００４７】
第１温度センサ１７ａ〜１７ｆは、コールドアイル１４の中央部２３と後端部２４との間に延びるサーバラック１３に配置されている。第１温度センサ１７ａ〜１７ｆのうちの温度センサ１７ａ，１７ｂは、コールドアイル１４の側に位置するサーバラック１３の頂部２５に設置されて前後方向（一方向）へ等間隔離間して並んでいる。温度センサ１７ａ，１７ｂは、サーバラック１３の頂部２５におけるコールドアイル１４の第１温度を計測し、計測した第１温度信号をコントローラ２１に送信する。
【００４８】
第１温度センサ１７ａ〜１７ｆのうちの温度センサ１７ｃ，１７ｄは、コールドアイル１４の側に位置するサーバラック１３の中間部３７に設置されて前後方向（一方向）へ等間隔離間して並んでいる。温度センサ１７ｃ，１７ｄは、サーバラック１３の中間部３７におけるコールドアイル１４の第１温度を計測し、計測した第１温度信号をコントローラ２１に送信する。
【００４９】
第１温度センサ１７ａ〜１７ｆのうちの温度センサ１７ｅ，１７ｆは、コールドアイル１４の側に位置するサーバラック１３の底部３８に設置されて前後方向（一方向）へ等間隔離間して並んでいる。温度センサ１７ｅ，１７ｆは、サーバラック１３の底部３８におけるコールドアイル１４の第１温度を計測し、計測した第１温度信号をコントローラ２１に送信する。
【００５０】
それら第１温度センサ１７ａ〜１７ｆでは、温度センサ１７ａの直下に温度センサ１７ｃが位置し、温度センサ１７ｃの直下に温度センサ１７ｅが位置している。温度センサ１７ｂの直下に温度センサ１７ｄが位置し、温度センサ１７ｄの直下に温度センサ１７ｆが位置している。図１では、前後方向へ２つの第１温度センサ１７ａ〜１７ｆが略等間隔で並んでいるが、空調室１２に据え付けられるサーバラック１３の数によって３つ以上の第１温度センサ１７が略等間隔で設置される場合もある。
【００５１】
第２温度センサ１８ａ〜１８ｆは、コールドアイル１４の前端部２２と中央部２３との間に延びるサーバラック１３に配置されている。第２温度センサ１８ａ〜１８ｆのうちの温度センサ１８ａ，１８ｂは、コールドアイル１４の側に位置するサーバラック１３の頂部２５に設置されて前後方向（一方向）へ等間隔離間して並んでいる。温度センサ１８ａ，１８ｂは、サーバラック１３の頂部２５におけるコールドアイル１４の第２温度を計測し、計測した第２温度信号をコントローラ２１に送信する。
【００５２】
第２温度センサ１８ａ〜１８ｆのうちの温度センサ１８ｃ，１８ｄは、コールドアイル１４の側に位置するサーバラック１３の中間部３７に設置されて前後方向（一方向）へ等間隔離間して並んでいる。温度センサ１８ｃ，１８ｄは、サーバラック１３の中間部３７におけるコールドアイル１４の第２温度を計測し、計測した第２温度信号をコントローラ２１に送信する。
【００５３】
第２温度センサ１８ａ〜１８ｆのうちの温度センサ１８ｅ，１８ｆは、コールドアイル１４の側に位置するサーバラック１３の底部３８に設置されて前後方向（一方向）へ等間隔離間して並んでいる。温度センサ１８ｅ，１８ｆは、サーバラック１３の底部３８におけるコールドアイル１４の第２温度を計測し、計測した第２温度信号をコントローラ２１に送信する。
【００５４】
それら第２温度センサ１８ａ〜１８ｆでは、温度センサ１８ａの直下に温度センサ１８ｃが位置し、温度センサ１８ｃの直下に温度センサ１８ｅが位置している。温度センサ１８ｂの直下に温度センサ１８ｄが位置し、温度センサ１８ｄの直下に温度センサ１８ｆが位置している。図１では、前後方向へ２つの第２温度センサ１８ａ〜１８ｆが略等間隔で並んでいるが、空調室１２に据え付けられるサーバラック１３の数によって３つ以上の第２温度センサ１８が略等間隔で設置される場合もある。
【００５５】
第３温度センサ１９は、サーバラック１３が存在しないコールドアイル１４に設置されている。第３温度センサ１９は、サーバラック１３が非存在のコールドアイル１４の第３温度を計測し、計測した第３温度信号をコントローラ２１に送信する。サーバラック１３が存在するコールドアイル１４に第３温度センサ１９が設置される場合もあり、この場合は、そのサーバラック１３にサーバ（その他のネットワーク機器を含む）が設置されていない必要がある。
【００５６】
第１〜第３吹出ユニット２０ａ〜２０ｃは、コールドアイル１４の天井５５の下方（直下）とサーバラック１３の頂部２５の上方との間に位置し、コールドアイル１４の後端部２４から前端部２２に向かって前後方向（一方向）へ冷風を給気する。第１〜第３吹出ユニット２０ａ〜２０ｃは、図４に示すように、第１給気ダクト３１の先端部に連結された給気チャンバ３９と、給気チャンバ３９に連結されてチャンバ３９から前方へ延びる第１〜第３分岐ダクト４０ａ〜４０ｃと、第１〜第３分岐ダクト４０ａ〜４０ｃに設置された第１〜第３風速調節ダンパ４１ａ〜４１ｃ（第１〜第ｎ風速調節機構）と、それら分岐ダクト４０ａ〜４０ｃに連結された吹出ハウジング４２とから形成されている。
【００５７】
第１〜第３分岐ダクト４０ａ〜４０ｃは、上方から下方に向かって第１分岐ダクト４０ａ、第２分岐ダクト４０ｂ、第３分岐ダクト４０ｃの順で並んでいる。第１分岐ダクト４０ａには、第１風速調節ダンパ４１ａが設置され、第２分岐ダクト４０ｂには、第２風速調節ダンパ４１ｂが設置されているとともに、第３分岐ダクト４０ｃには、第３風速調節ダンパ４１ｃが設置されている。第１〜第３風速調節ダンパ４１ａ〜４１ｃには、風量調節ダンパ（ＶＤ）が使用されているが、モータダンパ（ＭＤ）を使用することもできる。第１〜第３分岐ダクト４０ａ〜４０ｃでは、第１〜第３風速調節ダンパ４１ａ〜４１ｃの開度（風速調節ダンパ４１ａ〜４１ｃの旋回羽根の旋回角度）を調節することによってそれらダクト４０ａ〜４０ｃを通る冷風の風速（風量）が調節される。
【００５８】
吹出ハウジング４２は、前後壁と頂底壁と両側壁とを有し、それら壁に囲繞された内部空間４３を有する。吹出ハウジング４２は、空調室１２と機械室２７とを仕切る側壁に固定されている。後壁には、第１〜第３空気流入口４４ａ〜４４ｃ（空気流入口）が作られている。それら空気流入口４４ａ〜４４ｃは、上方から下方に向かってコールドアイル１４の天井５５近傍に位置する第１空気流入口４４ａ、第１空気流入口４４ａの直下に位置する第２空気流入口４４ｂ、第２空気流入口４４ｂの直下に位置する第３空気流入口４４ｃの順で並んでいる。
【００５９】
第１空気流入口４４ａには、第１分岐ダクト４０ａが連結され、第２空気流入口４４ｂには、第２分岐ダクト４０ｂが連結されている。第３空気流入口４４ｃには、第３分岐ダクト４０ｃが連結されている。前壁には、第１〜第３空気吹出口４５ａ〜４５ｃ（第１〜第ｎ空気吹出口）が作られている。それら空気吹出口４５ａ〜４５ｃは、上方から下方に向かってコールドアイル１４の天井５５近傍に位置する第１空気吹出口４５ａ、第１空気吹出口４５ａの直下に位置する第２空気吹出口４５ｂ、第２空気吹出口４５ｂの直下に位置する第３空気吹出口４５ｃの順で並んでいる。
【００６０】
吹出ハウジング４２の内部空間４３には、仕切板４６が設置されている。吹出ハウジング４２の内部空間４３は、それら仕切板４６によって第１〜第３空気流路４７ａ〜４７ｃ（第１〜第ｎ空気流路）が作られている。それら空気流路４７ａ〜４７ｃは、上方から下方に向かって第１空気流路４７ａ、第２空気流路４７ｂ、第３空気流路４７ｃの順で並んでいる。第１空気流路４７ａは、第１空気流入口４４ａと第１空気吹出口４５ａとの間に延びている。第２空気流路４７ｂは、第２空気流入口４４ｂと第２空気吹出口４５ｂとの間に延びている。第３空気流路４７ｃは、第３空気流入口４４ｃと第３空気吹出口４５ｃとの間に延びている。
【００６１】
吹出ユニット２０ａ〜２０ｃでは、第１〜第３風速調節ダンパ４１ａ〜４１ｃの開度を調節することで、第１〜第３空気吹出口４５ａ〜４５ｃから給気される冷風の速度を調節し、それら吹出口４５ａ〜４５ｃから給気される冷風のコールドアイル１４における前方への到達距離を変更する。
【００６２】
コールドアイル１４の前端部２２と中央部２３との間に延びる天井５５の所定の箇所には、第２導風機構４８ａ〜４８ｃが設置されている。なお、第２導風機構４８ａ〜４８ｃの設置箇所は、任意に決定することができる。また、図１では天井５５に３個の第２導風機構４８ａ〜４８ｃが設置されているが、第２導風機構４８ａ〜４８ｃの個数について特に限定はなく、サーバラック１３の前後方向への長さによって４個以上の第２導風機構４８ａ〜４８ｃが設置される場合もある。
【００６３】
第２導風機構４８ａは、コールドアイル１４の前端部２２の側の天井５５に旋回可能に設置され、その使用時に天井５５から垂下する。導風機構４８ａは、上下方向へ延びる風向板４９と、上下方向へ延びていて風向板４９を摺動可能に支持する支持枠５０（支持部材）とから形成されている。導風機構４８ａでは、風向板４９を支持枠５０に挿脱可能に挿入する。導風機構４８ａは、図６に矢印で示すように、吹出ユニット１９ａ〜１９ｃの第１空気吹出口４５ａから給気された冷風が風向板４９に当たることで、冷風を前後方向から下方（サーバラック１３の方向）へ誘導する。
【００６４】
第２導風機構４８ｂは、コールドアイル１４の前端部２２と中央部２３との間の天井５５に旋回可能に設置され、その使用時に天井５５から垂下する。導風機構４８ｂは、風向板４９と、風向板４９を摺動可能に支持する支持枠５０（支持部材）とから形成されている。導風機構４８ｂでは、風向板４９が支持枠５０の下２／３に位置して支持枠５０の下２／３が閉鎖され、支持枠５０の上１／３が開放され、上１／３に通気口５１が形成されている。導風機構４８ｂは、図８に矢印で示すように、吹出ユニット１９ａ〜１９ｃの第１空気吹出口４５ａから給気された冷風が支持枠５０の上１／３に形成された通気口５１を通って前方へ流動し、吹出ユニット１９ａ〜１９ｃの第２および第３空気吹出口４５ｂ，４５ｃから給気された冷風が風向板４９に当たることで、冷風を前後方向から下方（サーバラック１３の方向）へ誘導する。
【００６５】
第２導風機構４８ｃは、コールドアイル１４の中央部２３の側の天井５５に旋回可能に設置され、その使用時に天井５５から垂下する。導風機構４８ｃは、風向板４９と、風向板４９を摺動可能に支持する支持枠５０（支持部材）とから形成されている。導風機構４８ｃでは、風向板４９が支持枠５０の下１／３に位置して支持枠５０の下１／３が閉鎖され、支持枠５０の上２／３が開放され、上２／３に通気口５１が形成されている。導風機構４８ｃでは、図１０に矢印で示すように、吹出ユニット１９ａ〜１９ｃの第１および第２空気吹出口４５ａ，４５ｂから給気された冷風が支持枠５０の上２／３に形成された通気口５１を通って前方へ流動し、吹出ユニット１９ａ〜１９ｃの第３空気吹出口４５ｃから給気された冷風が風向板４９に当たることで、冷風を前後方向から下方（サーバラック１３の方向）へ誘導する。
【００６６】
なお、風向板４９の上下方向の長さを調節することにより、第２導風機構４８ａ〜４８ｃのサーバラック１３の頂部２５から上方への延出寸法（閉鎖寸法）を調節可能であり、導風機構４８ａ〜４８ｃの通気口５１の天井５５から下方への延出寸法（開放寸法）を調節可能である。また、風向板４９の上下方向の長さを調節することにより、導風機構４８ａ〜４８ｃの天井５５から下方への延出寸法（閉鎖寸法）を調節可能であり、導風機構４８ａ〜４８ｃの通気口５１のサーバラック１３の頂部２５から上方への延出寸法（開放寸法）を調節可能である。
【００６７】
それら第２導風機構４８ａ〜４８ｃには、図示はしていないが、自動開閉装置が設置されている。図６，８，１０に矢印で示すように、自動開閉装置によって導風機構４８ａ〜４８ｃを天井５５に対して上下方向へ自動的に旋回させることができる。導風機構４８ａ〜４８ｃを天井５５から下方へ旋回させることで、導風機構４８ａ〜４８ｃが天井５５から垂下し、垂下した状態から導風機構４８ａ〜４８ｃを上方へ旋回させることで、導風機構４８ａ〜４８ｃが天井５５に収納される。なお、導風機構４８ａ〜４８ｃに自動開閉装置が設置されていない場合は、導風機構４８ａ〜４８ｃを手動で旋回させる。
【００６８】
コントローラ２１は、中央処理部（ＣＰＵまたはＭＰＵ）とメモリ（メインメモリおよびキャッシュメモリ）とを有するコンピュータであり、記憶デバイスが内蔵されている。コントローラ２１には、テンキーユニット（図示せず）やディスプレイ（図示せず）等の入出力装置がインターフェイスを介して接続されている。コントローラ２１の中央処理部は、オペレーティングシステムによる制御に基づいて、メモリからアプリケーションを起動し、起動したアプリケーションに従って、後記する各空調運転を実施する。
【００６９】
コントローラ２１には、送風ファン３０の制御部が信号線または無線によって電気的に接続され、第１および第２モータダンパ３３，３５の制御部が信号線または無線によって電気的に接続されているとともに、第１〜第３温度センサ１７ａ〜１７ｆ，１８ａ〜１８ｆ，１９が信号線または無線によって電気的に接続されている。さらに、第２導風機構４８〜４８ｃの自動開閉装置が信号線または無線によって電気的に接続されている。
【００７０】
コントローラ２１の記憶デバイスには、後記する通常モードの空調運転や高温解消モードの空調運転における空調パターンテーブル（図１１参照）が格納されている。コントローラ２１の記憶デバイスには、設定温度が格納されている。設定温度は、入力装置を介して自由に変更することができる。
【００７１】
コントローラ２１の記憶デバイスには、通常モードの空調運転や高温解消モードの空調運転において、第１給気ダクト３１から給気する冷風の給気割合に対する第１モータダンパ３３の開度情報が格納され、第２給気ダクト３２から給気する冷風の給気割合に対する第２モータダンパ３５の開度情報が格納されている。
【００７２】
なお、図３に示すように、隣接する空調機１６ａ，１６ｂどうしがバイパスダクト５２によって連結され、隣接する空調機１６ｂ，１６ｃどうしがバイパスダクト５２によって連結され、空調システム１０が冗長化されている。バイパスダクト５２には、バイパスダンパ５３が設置されている。通常の空調運転時では、バイパスダンパ５３の空気流路が閉鎖（開度が０）されている。空調システム１０では、たとえば、空調機１６ｃが何らかの原因で故障した場合、バイパスダンパ５３を開放（全開）し、空調機１６ａや空調機１６ｂから空調機１６ｃの冷風の不足分を補うことができ、システム１０の不用意な停止を防ぐことができるとともに、システム１０を停止させることなく故障した空調機１６ｃを修理することができる。
【００７３】
図１１は、コントローラ２１の記憶デバイスに格納された空調パターンテーブルの一例を示す図であり、図１２は、空調システム１０において実施される各空調運転を説明するフローチャートである。図１３は、図１２から続くフローチャートであり、図１４は、情報処理機器室用空調システム１０における通常モードの空調運転を説明する図１と同様の側面図である。図１５は、情報処理機器室用空調システム１０における通常モードの空調運転を説明する図２と同様の正面図である。図１４では、コントローラ２１の図示を省略している。図１５では、第１および第２導風機構３６，４８ａ〜４８ｃの図示を省略している。
【００７４】
サーバラック１３が位置するコールドエリア１４は、図１４に示すように、第１温度センサ１７ａ〜１７ｆのセンシング範囲をコールドエリアＡとし、第２温度センサ１８ａ〜１８ｆのセンシング範囲をコールドエリアＢとしている。コールドエリアＡは、サーバラック１３が位置するコールドアイル１４の後端部２４および中央部２３（中央部２３の略後半分）とそれら部２３，２４の間に延びるエリアであり、コールドエリアＢは、サーバラック１３が位置するコールドアイル１４の中央部２３（中央部２３の略前半分）および前端部２２とそれら部２２，２３の間に延びるエリアである。
【００７５】
図１１の空調パターンテーブルのパターン（１）には、コールドエリアＡの温度（第１温度）およびコールドエリアＢの温度（第２温度）が設定温度の範囲内にある場合、通常モードの空調運転を行うことが定義されている。空調パターンテーブルのパターン（２）には、コールドエリアＡ，Ｂのサーバラック１３に収容されたサーバの温度が上昇し、または、コールドエリアＡ，Ｂに熱溜まりが発生し、コールドエリアＡの温度（第１温度）およびコールドエリアＢの温度（第２温度）が設定温度よりも高くなった場合（ＡおよびＢ＞設定温度）、高温解消モードの空調運転を行うことが定義されている。
【００７６】
空調パターンテーブルのパターン（３）には、コールドエリアＡの温度（第１温度）およびコールドエリアＢの温度（第２温度）が設定温度よりも高くなった（ＡおよびＢ＞設定温度）後、その状態が継続しなくなった（非継続）場合、送風ファン３０の風量を減少させて高温解消モードの空調運転を行うことが定義されている。空調パターンテーブルのパターン（４）には、コールドエリアＡの温度（第１温度）およびコールドエリアＢの温度（第２温度）が設定温度よりも高くなり（ＡおよびＢ＞設定温度）、その状態が継続している場合、送風ファン３０の風量を増加させて高温解消モードの空調運転を行うことが定義されている。空調パターンテーブルのパターン（５）には、高温解消モードの空調運転において第１および第２温度が設定温度よりも低くなった場合（ＡおよびＢ≦設定温度）、送風ファン３０の風量を減少させて高温解消モードの空調運転を行うことが定義されている。
【００７７】
空調パターンテーブルのパターン（６）には、コールドエリアＡのサーバラック１３に収容されたサーバの温度が上昇し、または、コールドエリアＡに熱溜まりが発生し、コールドエリアＡの温度（第１温度）が設定温度よりも高くなった場合（Ａ＞設定温度）、高温解消モードの空調運転を行うことが定義されている。空調パターンテーブルのパターン（７）には、コールドエリアＡの温度（第１温度）が設定温度よりも高くなった（Ａ＞設定温度）後、その状態が継続しなくなった（非継続）場合、送風ファン３０の風量を減少させて高温解消モードの空調運転を行うことが定義されている。
【００７８】
空調パターンテーブルのパターン（８）には、コールドエリアＡの温度（第１温度）が設定温度よりも高くなり（Ａ＞設定温度）、その状態が継続している場合、送風ファン３０の風量を増加させて高温解消モードの空調運転を行うことが定義されている。空調パターンテーブルのパターン（９）には、高温解消モードの空調運転において第１温度が設定温度よりも低くなった場合（Ａ≦設定温度）、送風ファン３０の風量を減少させて高温解消モードの空調運転を行うことが定義されている。
【００７９】
空調パターンテーブルのパターン（１０）には、コールドエリアＢのサーバラック１３に収容されたサーバの温度が上昇し、または、コールドエリアＢに熱溜まりが発生し、コールドエリアの温度（第２温度）が設定温度よりも高くなった場合（Ｂ＞設定温度）、高温解消モードの空調運転を行うことが定義されている。空調パターンテーブルのパターン（１１）には、コールドエリアＢの温度（第２温度）が設定温度よりも高くなった（Ｂ＞設定温度）後、その状態が継続しなくなった（非継続）場合、送風ファン３０の風量を減少させて高温解消モードの空調運転を行うことが定義されている。
【００８０】
空調パターンテーブルのパターン（１２）には、コールドエリアＢの温度（第２温度）が設定温度よりも高くなり（Ｂ＞設定温度）、その状態が継続している場合、送風ファン３０の風量を増加させて高温解消モードの空調運転を行うことが定義されている。空調パターンテーブルのパターン（１３）には、高温解消モードの空調運転において第２温度が設定温度よりも低くなった場合（Ｂ≦設定温度）、送風ファン３０の風量を減少させて高温解消モードの空調運転を行うことが定義されている。
【００８１】
空調パターンテーブルには、それに定義されたパターン（１）〜（１３）の空調運転を実施するための機器設定情報（プリセット運転条件）として、第１モータダンパ３１の開度（％）、第２モータダンパ３５の開度（％）、送風ファン３０の出力（％）、第１導風機構３６のＯＮ／ＯＦＦ、第２導風機構４８ａ〜４８ｃのＯＮ／ＯＦＦ、第２導風機構４８ａ〜４８ｃの使用位置、第１〜第３吹出ユニット２０ａ〜２０ｃの第１〜第３空気吹出口４５ａ〜４５ｃの風速比が設定されている。
【００８２】
なお、空調パターンテーブルに示すダンパ３１，３５の開度（％）の数値やファン３０の出力（％）の数値、導風機構３６，４８ａ〜４８ｃのＯＮ／ＯＦＦ、導風機構４８ａ〜４８ｃの使用位置、吹出口４５ａ〜４５ｃの風速比は、例示であり、それらに限定されず、サーバの設置状況やサーバの稼働状況に応じてそれらを任意に設定することができる。
【００８３】
空調パターンテーブルの第２導風機構使用位置のうち、（１）は第２導風機構４８ａを示し、（２）は第２導風機構４８ｂを示すとともに、（３）は第２導風機構４８ｃを示す。空調パターンテーブルの吹出ユニット風速比（上・中・下）と「５：３：１」とのうち、（上）は風速比「５」に対応するとともに吹出ユニット１９ａ〜１９ｃの上段の第１空気吹出口４５ａを示し、（中）は風速比「３」に対応するとともに吹出ユニット１９ａ〜１９ｃの中段の第２空気吹出口４５ｂを示すとともに、（下）は風速比「１」に対応するとともに吹出ユニット１９ａ〜１９ｃの下段の第３空気吹出口４５ｃを示す。
【００８４】
データセンター１１では、サーバラック１３に収容された複数台のサーバの稼働によってそれらサーバが自己発熱し、それらサーバの温度が上昇する。サーバの温度上昇をそのまま放置すると、サーバが故障する場合があり、データセンター１１の運営に支障が生じる。したがって、空調機１６ａ〜１６ｃから冷風を給気してそれらサーバを冷却する必要がある。
【００８５】
コールドアイル１４のサーバラック１３に収容されたサーバの温度上昇が許容範囲内であり、コールドアイル１４に温度上昇や熱溜まりが発生していない状況で情報処理機器室用空調システム１０を起動すると、通常モードの空調運転が実施され、それによってサーバが冷却される。通常モードの空調運転では、サーバを必要以上に冷却して温度上昇や熱溜まりを解消する必要はなく、第１モータダンパ３３の空気流路が閉鎖され、第２モータダンパ３５の空気流路が開放されるとともに、送風ファン３０が稼働し、空調機１６ａ〜１６ｃによって所定温度に冷却された冷風（冷却空気）が第２給気ダクト３２を通り、空調室１２の床下空間３４からコールドアイル１４に給気される。
【００８６】
コントローラ２１は、第１および第２温度センサ１７ａ〜１７ｆ，１８ａ〜１８ｆが計測した第１および第２温度と設定温度とを比較しつつ、図１１に示す空調パターンテーブルでエリア温度条件が一致するパターン（１）の通常モードの空調運転を実施する（Ｓ−１０）。コントローラ２１は、第１モータダンパ３５の開度（０％）、第２モータダンパ３３の開度（１００％）、送風ファン３０の出力（７０％）、第１導風機構３６のＯＮ／ＯＦＦ（ＯＮ）、第２導風機構４８ａ〜４８ｃのＯＮ／ＯＦＦ（ＯＦＦ）、第２導風機構４８ａ〜４８ｃの使用位置（−）、吹出ユニット２０ａの風速比「−」のプリセット運転条件を選択する。
【００８７】
コントローラ２１は、選択したパターン（１）のプリセット運転条件により、第１モータダンパ３３の開度（０％）の開度指示信号と第２モータダンパ３５の開度（１００％）の開度指示信号とをそれらモータダンパ３３，３５の制御部に送信する。第１モータダンパ３３の制御部は、コントローラ２１からの開度指示信号にしたがって開度を開度指示信号（０％）のそれに一致させ、その開度（全閉）を維持する。第２モータダンパ３５の制御部は、コントローラ２１からの開度指示信号にしたがって開度を開度指示信号（１００％）のそれに一致させ、その開度（全開）を維持する。パターン（１）の通常モードの空調運転では、第１モータダンパ３３の開度が０％に設定され、第１および第２モータダンパ３３，３５の開度が１００％に設定される。
【００８８】
コントローラ２１は、送風ファン３０の制御部に起動信号を出力するとともに、選択したパターン（１）のプリセット運転条件により、送風ファン３０の出力（７０％）の出力指示信号を送風ファン３０の制御部に送信する。送風ファン３０の制御部は、コントローラ２１からの起動信号にしたがって送風ファン３０を起動させるとともに、コントローラ２１からの出力指示信号（７０％）にしたがって送風ファン３０の出力をインバータ制御し、出力７０％を維持する。コントローラ２１は、第２導風機構４８ａ〜４８ｃの自動開閉装置に導風機構４８ａ〜４８ｃのＯＦＦ信号（閉信号）を送信する。第２導風機構４８ａ〜４８ｃは、天井５５に収納された状態が維持される。
【００８９】
通常モードの空調運転（パターン（１））では、第２モータダンパ３５の空気流路が開放され、空調機１６ａ〜１６ｃによって所定温度に冷却された冷風（冷却空気）が第２給気ダクト３２を通り、空調室１２の床下空間３４に給気される。冷風は、図１４に矢印で示すように、床下空間３４を通って冷風吹出開口パネルからコールドアイル１４に流入する。コールドアイル１４に流入した冷風は、図１５に矢印で示すように、サーバラック１３の側方からラックに流入し、ラックを通流しつつラックに収容されたサーバを冷却する。サーバを冷却した冷風はサーバの熱を吸収して温風に変わり、その温風がサーバラック１３の側方から流出してホットアイル１５に流入する。
【００９０】
ホットアイル１５に流入した温風は、温風吸込開口を通って空調室１２の天井空間５４に流入した後、天井空間５４を通って空調室１２から機械室２７に流入し、再び空調機１６ａ〜１６ｃに還流する。なお、温風の一部は外気に放出され、残余の温風と外気との混合気が空調機に流入する。空調機１６ａ〜１６ｃに流入した空気（混合気）は、空調機１６ａ〜１６ｃによって冷却されて冷風となり、再び床下空間３４からコールドアイル１４に給気される。
【００９１】
通常モードの空調運転においてコントローラ２１は、第１および第２温度センサ１７ａ〜１７ｆ，１８ａ〜１８ｆや第３温度センサ１９が計測した温度と設定温度との比較による温度一定制御を行い、第２モータダンパ３５の開度を微調整し、サーバラック１３に収容されたサーバを冷却するのに必要な冷風をコールドアイル１４に給気する。温度とサーバを冷却するのに必要な冷風の風量との相関情報がコントローラ２１の記憶デバイスに格納され、必要な冷風の風量に対応する第２モータダンパ３５の開度情報（旋回羽根の旋回角度情報）がコントローラ２１の記憶デバイスに格納されている。
【００９２】
コントローラ２１は、第１および第２温度センサ１７ａ〜１７ｆ，１８ａ〜１８ｆや第３温度センサ１９から送信された温度によって、サーバを冷却するのに必要な冷風の風量を割り出し、割り出した風量を維持するための開度変更信号を第２モータダンパ３５の制御部に送信する。第２モータダンパ３５の制御部は、コントローラ２１からの開度変更信号にしたがってモータダンパ３５の開度を微調整し、その開度を維持する。
【００９３】
第１および第２温度センサ１７ａ〜１７ｆ，１８ａ〜１８ｆが計測した第１および第２温度が設定温度以下の場合、コールドアイル１４に温度上昇や熱溜まりが発生しておらず、床下空間３４からコールドアイル１４に冷風を給気することで、サーバの冷却に十分に対応することができるから、第１〜第３吹出ユニット２０ａ〜２０ｃからの冷風の給気は行われない。
【００９４】
図１６は、情報処理機器室用空調システム１０における高温解消モードの空調運転を説明する図１と同様の側面図であり、図１７は、コールドエリアＡ，Ｂに熱溜まり５７ａ，５７ｂが発生した状態を概念的に示す図１と同様の側面図である。図１８は、情報処理機器室用空調システム１０における高温解消モードの空調運転を説明する図２と同様の正面図である。
【００９５】
図１７の情報処理機器室用空調システム１０では、図１６と同様に、高温解消モードの空調運転が実施されている。図１６，１７では、コントローラ２１の図示を省略している。図１８では、第１および第２導風機構３６，４８ａ〜４８ｃの図示を省略している。サーバの稼働状況によってサーバの自己発熱の温度は異なるが、稼働率が高いサーバはその温度が高くなる傾向にあり、サーバの温度が許容範囲以上になる場合があるとともに、サーバの熱やサーバラック１３からの気流の逆流等の気流の乱れによってその近傍のコールドアイル１４に熱溜まりが発生する場合がある。
【００９６】
サーバの温度が許容範囲以上になり、または、図１７に示すように、コールドアイル１４に熱溜まり５７ａ，５７ｂが発生すると、通常モードの空調運転では、温度が上昇したサーバを十分に冷却することができない場合があり、熱溜まり５７ａ，５７ｂ近傍のサーバを十分に冷却することができない場合がある。温度上昇が大きなサーバの温度を下げることや熱溜まり５７ａ，５７ｂ近傍のサーバの温度を下げることができず、そのサーバが高温のまま稼働すると、サーバの故障の原因になり、データセンター１１の運営に支障が生じる。したがって、温度上昇が大きなサーバの温度を下げる必要があり、コールドアイル１４に発生した熱溜まり５７ａ，５７ｂを解消する必要がある。
【００９７】
通常モードの空調運転を継続しつつコントローラ２１は、第１および第２温度センサ１７ａ〜１７ｆ，１８ａ〜１８ｆが計測した第１および第２温度とあらかじめ設定された設置温度とを比較し、第１および第２温度が設定温度を超過したか（ＡおよびＢ＞設定温度）を判断し、第１温度が設定温度を超過したか（Ａ＞設定温度）を判断するとともに、第２温度が設定温度を超過したか（Ｂ＞設定温度）を判断する（Ｓ−１１）。
【００９８】
第１および第２温度が設定温度を超過せず、第１温度が設定温度を超過せず、さらに、第２温度が設定温度を超過しない場合、コントローラ２１は、パターン（１）の通常モードの空調運転を継続しつつ（Ｓ−１２）、空調システム１０における通常モードの空調運転の停止が指令されたかを判断する（Ｓ−１３）。コントローラ２１は、停止が指令されない限り、通常モードの空調運転を継続し、ステップ１１（Ｓ−１１）において、第１および第２温度が設定温度を超過したか（ＡおよびＢ＞設定温度）、または、第１温度が設定温度を超過したか（Ａ＞設定温度）、あるいは、第２温度が設定温度を超過したか（Ｂ＞設定温度）を監視する。なお、通常モードの空調運転の停止が指令された場合、コントローラ２１は通常モードの空調運転を停止し、システム１０が停止する。
【００９９】
コールドエリアＡ（コールドアイル１４の後端部２４および中央部２３とそれら部２３，２４の間とのいずれか）およびコールドエリアＢ（コールドアイル１４の中央部２３および前端部２２とそれら部２２，２３の間とのいずれか）に位置するサーバラック１３に収容されたサーバの温度が上昇し、または、コールドエリアＡ，Ｂに熱溜まり５７ａ，５７ｂが発生し、ステップ１１（Ｓ−１１）において、第１および第２温度センサ１７ａ〜１７ｆ，１８ａ〜１８ｆが計測した第１および第２温度が設定温度を超過した場合（ＡおよびＢ＞設定温度）、コントローラ２１は、パターン（１）の通常モードの空調運転を中断しつつ、空調パターンテーブルを参照し、エリア温度条件が一致するパターン（２）の高温解消モードの空調運転を実施する（Ｓ−１４）。
【０１００】
第１および第２温度が設定温度を超過した場合（ＡおよびＢ＞設定温度）の高温解消モードの空調運転の一例として、コントローラ２１は、パターン（２）を選択し、第１モータダンパ３３の開度（略５０％）、第２モータダンパ３５の開度（略５０％）、送風ファン３０の出力（７０％）、第１導風機構３６のＯＮ／ＯＦＦ（ＯＮ）、第２導風機構４８ａ〜４８ｃのＯＮ／ＯＦＦ（ＯＮ）、第２導風機構４８ａ〜４８ｃの使用位置（１），（２），（３）、吹出ユニット２０ａの風速比「５：３：１」のプリセット運転条件を実施する。
【０１０１】
コントローラ２１は、選択したパターン（２）のプリセット運転条件により、第２導風機構４８ａ〜４８ｃの自動開閉装置に導風機構４８ａ〜４８ｃのＯＮ信号（開信号）を送信する。自動開閉装置は、コントローラ２１から送信されたＯＮ信号に従って導風機構４８ａ〜４８ｃを天井５５から下方へ旋回させる。それによってそれら導風機構４８ａ〜４８ｃが天井５５から垂下する。
【０１０２】
コントローラ２１は、選択したパターン（２）のプリセット運転条件により、第１および第２モータダンパ３３，３５の開度（略５０％）の開度指示信号をモータダンパ３３，３５の制御部に送信する。第１モータダンパ３３の制御部は、コントローラ２１からの開度指示信号にしたがって開度を０％から開度指示信号（略５０％）のそれに変更し、開度５０％を維持する。第２モータダンパ３５の制御部は、コントローラ２１からの開度指示信号にしたがって開度を１００％から開度指示信号（略５０％）のそれに変更し、開度５０％を維持する。パターン（２）の高温解消モードの空調運転では、第１および第２モータダンパ３３，３５の開度が略５０％に設定される。
【０１０３】
コントローラ２１は、選択したパターン（２）のプリセット運転条件により、送風ファン３０の出力（７０％）の出力指示信号を送風ファン３０の制御部に送信する。送風ファン３０の制御部は、コントローラ２１からの出力指示信号（７０％）にしたがって出力７０％を維持する。パターン（２）の高温解消モードの空調運転では、送風ファン３０の出力がパターン（１）の通常モードの空調運転のときと同様に出力（７０％）で運転される。
【０１０４】
パターン（２）の高温解消モードの空調運転において、第１〜第３吹出ユニット２０ａ〜２０ｃの第１空気吹出口４５ａから給気された冷風は、図９および図１０の第２導風機構４８ｃの支持枠５０の上２／３に形成された通気口５１を通過するとともに、図７および図８の第２導風機構４８ｂの支持枠５０の上１／３に形成された通気口５１を通過し、図５の第２導風機構４８ａの風向板４９に衝突してコールドアイル１４の前端部２２およびその近傍に誘導される。
【０１０５】
第１〜第３吹出ユニット２０ａ〜２０ｃの第２空気吹出口４５ｂから給気された冷風は、図９および図１０の第２導風機構４８ｃの支持枠５０の上２／３に形成された通気口５１を通過し、図７および図８の第２導風機構４８ｂの風向板４９に衝突してコールドアイル１４の前端部２２と中央部２３との間に誘導される。第３空気吹出口４５ｃから給気された冷風は、図９および図１０の第２導風機構４８ｃの風向板４９に衝突してコールドアイル１４の中央部２３とその近傍に誘導される。
【０１０６】
情報処理機器室用空調システム１０は、それら第２導風機構４８ａ〜４８ｃを利用して吹出ユニット２０ａ〜２０ｃから給気される冷風をコールドアイル１４の中央部２３および前端部２２とそれら部２２，２３の間とに向かわせることができるから、空調機１６ａ〜１６ｃから離れた中距離や遠距離に位置するサーバラック１３に冷風を給気することができるとともに、床下空間３４および吹出ユニット２０ａ〜２０ｃからコールドアイル１４に位置するすべてのサーバラック１３に冷風を満遍なく給気することができ、空調機１６ａ〜１６ｃから近い近距離に位置するサーバラック１３に収容されたサーバのみならず、空調機１６ａ〜１６ｃから中距離や遠距離に位置するサーバラック１３に収容されたサーバを確実に冷却することができる。
【０１０７】
高温解消モードの空調運転において、第１〜第３吹出ユニット２０ａ〜２０ｃの第１空気吹出口４５ａから給気された冷風は、コアンダ効果によってコールドアイル１４の天井５５とたれ壁２６とに沿ってコールドアイル１４の遠方にある前端部２２（所定の箇所）および前端部２２と中央部２３との間（所定の箇所）に向かう。コアンダ効果を利用してコールドアイル１４の前端部２２（所定の箇所）および前端部２２と中央部２３との間（所定の箇所）に冷風が確実に給気される。
【０１０８】
情報処理機器室用空調システム１０は、冷風がコアンダ効果によってコールドアイル１４の中央部２３および遠方にある前端部２２とそれら部２２，２３の間とに届き、コールドアイル１４において冷風が四方へ分散することによる中央部２３および前端部２２とそれら部２２，２３の間とへの冷風の未到達を防ぐことができるから、コールドアイル１４の中央部２３および前端部２２とそれら部２２，２３の間とに冷風を給気することができ、空調機１６ａ〜１６ｃから離れた中距離や遠距離に位置するサーバラック１３に収容されたサーバを十分に冷却することができる。
【０１０９】
吹出ユニット２０ａ〜２０ｃの第１〜第３空気吹出口４５ａ〜４５ｃから給気された冷風は、コールドアイル１４の前端部２２および中央部２３とそれら部２２，２３の間とに流入し、第２給気ダクト３２から床下空間３４に給気された冷風は、床下空間３０を通って冷風吹出開口パネルからコールドアイル１４の前端部２２、中央部２３、後端部２４、それら部２２〜２４の間に流入する。
【０１１０】
床下空間３４に給気された冷風は、第１導風機構３６（風向板）に衝突し、第１導風機構３６によって冷風の大部分がコールドアイル１４の後端部２４および中央部２３とそれら部２３，２４の間とに誘導される。コールドアイル１４に流入した冷風は、図１７に矢印で示すように、サーバラック１３の側方からラック１３に流入し、ラック１３を通流しつつラック１３に収容されたサーバを冷却する。サーバを冷却した冷風はサーバの熱を吸収して温風に変わり、その温風がサーバラック１３の側方から流出してホットアイル１５に流入する。
【０１１１】
ホットアイル１５に流入した温風は、温風吸込開口を通って空調室１２の天井空間４５に流入した後、天井空間４５を通って空調室１２から機械室２７に流入し、再び空調機１６ａ〜１６ｃに還流する。なお、温風の一部は外気に放出され、残余の温風と外気との混合気が空調機１６ａ〜１６ｃに流入する。空調機１６ａ〜１６ｃに流入した温風（混合気）は、空調機１６ａ〜１６ｃによって冷却されて冷風となり、吹出ユニット２０ａ〜２０ｃや第２給気ダクト３２から再びコールドアイル１４に給気される。
【０１１２】
吹出ユニット２０ａ〜２０ｃを設置せず、床下空間３４のみに冷風を給気し、その冷風によってサーバを冷却する場合、床下空間３４に給気された冷風の送風圧力が空調機１６ａ〜１６ｃから離れるにしたがって次第に低下し、空調機１６ａ〜１６ｃから離れた中距離（中央部２３）や遠距離（前端部２２）に位置するコールドアイル１４に給気される冷風の風量が減少するとともに、床下空間３４に収納されたケーブルや連結治具等の障害物に冷風が衝突し、冷風の送風圧力がそれら障害物によって一層低下し、空調機１６ａ〜１６ｃから中距離や遠距離に位置するサーバラックに収容されたサーバを十分に冷却することができない場合がある。この状態のサーバを冷却するために空調機１６ａ〜１６ｃの送風出力を増加させるが、搬送エネルギーの増大とともに給気空気の通流の容易な場所を過剰に冷却してしまう場合もある。
【０１１３】
しかし、この情報処理機器室用空調システム１０は、パターン（２）の高温解消モードの空調運転（コールドエリアＡ，Ｂに存在するサーバの温度が許容範囲以上、または、コールドエリアＡ，Ｂに熱溜まり５７ａ，５７ｂが発生）において第１モータダンパ３３および第２モータダンパ３３の開度を調節し、床下空間３４からコールドアイル１４に略５０％の割合の冷風を給気しつつ、吹出ユニット２０ａ〜２０ｃからコールドアイル１４の中央部２３および前端部２２とそれら部２２，２３の間とに位置するサーバラック１３に略５０％の割合の冷風を給気するから、床下空間３４および吹出ユニット２０ａ〜２０ｃからコールドアイル１４に位置するすべてのサーバラック１３に略均一の風量の冷風を満遍なく給気することができ、空調機２０ａ〜２０ｃから近い近距離（後端部２４およびその近傍）や空調機２０ａ〜２０ｃから離れた中距離（中央部２３およびその近傍）、空調機２０ａ〜２０ｃから離れた遠距離（前端部２２およびその近傍）に位置するサーバラック１３に収容されたサーバを十分に冷却することができる。
【０１１４】
情報処理機器室用空調システム１０は、送風ファン３０の出力増加を行うパターン（４）よりも、送風ファン３０の出力増加を行わないパターン（２）を優先的に選択する。情報処理機器室用空調システム１０は、パターン（２）の高温解消モードの空調運転において、第１モータダンパ３１の開度（略５０％）と第２モータダンパ３３の開度（略５０％）とを調節し、床下空間３４および吹出ユニット２０ａ〜２０ｃからコールドアイル１４に給気する冷風の風量バランスを調整することで、コールドアイル１４に位置するすべてのサーバラック１３に収容されたサーバを冷却することができるから、送風ファン３０の出力を増加させることなく、送風ファン３０の出力を通常モードの空調運転と同様の出力７０％に保持することができ、送風ファン３０の出力を増加させることによる冷風送風エネルギーの必要以上の消費を防ぐことができ、システム１０における省エネルギー化を図ることができる。
【０１１５】
情報処理機器室用空調システム１０は、パターン（２）の高温解消モードの空調運転において、第１導風機構３６によって床下空間３４に給気された冷風の多くがコールドアイル１４の後端部２４および中央部２３とそれら部２３，２４の間とに誘導されるから、床下空間３４に給気された冷風を利用してコールドアイル１４の後端部２４および中央部２３とそれら部２３，２４の間に十分な風量の冷風を給気することができ、後端部２４と中央部２３との間に延びるサーバラック１３に収容されたサーバを確実に冷却することができる。
【０１１６】
コントローラ２１は、パターン（２）の高温解消モードの空調運転を継続しつつ、第１および第２温度と設定温度とを比較し、第１および第２温度が設定温度を超過した状態（ＡおよびＢ＞設定温度）が継続しているかを判断する（Ｓ−１５）。ステップ１５（Ｓ−１５）において、パターン（２）の高温解消モードの空調運転を実施したことによって第１および第２温度が設定温度を超過した状態（ＡおよびＢ＞設定温度）が継続していない（非継続）と判断した場合、コントローラ２１は、パターン（２）の高温解消モードの空調運転を中断しつつ、図１１の空調パターンテーブルを参照し、エリア温度条件が一致するパターン（３）の高温解消モードの空調運転を実施する（Ｓ−１６）。
【０１１７】
コントローラ２１は、パターン（３）を選択し、第１モータダンパ３３の開度（略５０％）、第２モータダンパ３５の開度（略５０％）、送風ファン３０の出力（６０％）、第１導風機構３６のＯＮ／ＯＦＦ（ＯＮ）、第２導風機構４８ａ〜４８ｃのＯＮ／ＯＦＦ（ＯＮ）、第２導風機構４８ａ〜４８ｃの使用位置（１），（２），（３）、吹出ユニット２０ａの風速比「５：３：１」のプリセット運転条件を実施する。なお、第１および第２モータダンパ３３，３５の開度、第１および第２導風機構３６，４８ａ〜４８ｃのＯＮ／ＯＦＦ、第２導風機構４８ａ〜４８ｃの使用位置、吹出ユニット２０ａの風速比は、パターン（２）のそれらと同一である。
【０１１８】
コントローラ２１は、選択したパターン（３）のプリセット運転条件により、送風ファン３０の出力（６０％）の出力指示信号を送風ファン３０の制御部に送信する。送風ファン３０の制御部は、コントローラ２１からの出力指示信号（６０％）にしたがって送風ファン３０の出力をインバータ制御し、出力を７０％から６０％に変更し、変更した出力６０％を維持する。
【０１１９】
パターン（３）の高温解消モードの空調運転では、送風ファン３０の出力がパターン（２）の高温解消モードの空調運転よりも１０％減少する。したがって、第１および第２温度が設定温度を超過した状態（ＡおよびＢ＞設定温度）が継続していない（非継続）場合、第１および第２温度が設定温度よりも高くなった（ＡおよびＢ＞設定温度）ときの風量よりも少ない風量の冷風が床下空間３４からコールドアイル１４に給気されるとともに、吹出ユニット２０ａ〜２０ｃからコールドアイル１４に給気される。
【０１２０】
コントローラ２１は、パターン（３）の高温解消モードの空調運転を実施した後、空調システム１０における高温解消モードの空調運転の停止が指令されたかを判断する（Ｓ−１７）。コントローラ２１は、停止が指令されない限り、パターン（３）の高温解消モードの空調運転を継続し（Ｓ−１８）、第１および第２温度が設定温度を超過した状態（ＡおよびＢ＞設定温度）が継続しているかを監視する（Ｓ−１５）。なお、ステップ１７（Ｓ−１７）において、パターン（３）の高温解消モードの空調運転の停止が指令された場合、コントローラ２１は、パターン（３）の高温解消モードの空調運転を停止し、システム１０が停止する。
【０１２１】
情報処理機器室用空調システム１０は、パターン（２）の高温解消モードの空調運転において、床下空間３４および吹出ユニット２０ａ〜２０ｃからコールドアイル１４に給気する冷風の風量バランスを調整することで、第１および第２温度が設定温度を超過した状態（ＡおよびＢ＞設定温度）が継続しなくなった場合、パターン（３）の高温解消モードの空調運転を実施し、第１および第２モータダンパ３１，３３の開度を保持しつつ、余剰となった冷風を減少させるため、送風ファン３０の出力を７０％から６０％に変更する。したがって、この情報処理機器室用空調システム１０は、第１および第２温度が設定温度を超過した状態が継続していない場合に、サーバラック１３に収容されたサーバを必要以上に冷却することはなく、余剰な冷風送風エネルギーの消費を防ぐことができ、システム１０における省エネルギー化を図ることができる。
【０１２２】
パターン（２）の高温解消モードの空調運転を継続中に、コールドエリアＡ，Ｂの温度が低下せず、または、コールドエリアＡ，Ｂに発生した熱溜まり５７ａ，５７ｂが解消せず、ステップ１５（Ｓ−１５）において、第１および第２温度が設定温度を超過した状態（ＡおよびＢ＞設定温度）が継続していると判断した場合、コントローラ２１は、パターン（２）の高温解消モードの空調運転を中断しつつ、図１１の空調パターンテーブルを参照し、エリア温度条件が一致するパターン（４）の高温解消モードの空調運転を実施する（Ｓ−１９）。
【０１２３】
コントローラ２１は、パターン（４）を選択し、第１モータダンパ３３の開度（略５０％）、第２モータダンパ３５の開度（略５０％）、送風ファン３０の出力（８０〜９０％）、第１導風機構３６のＯＮ／ＯＦＦ（ＯＮ）、第２導風機構４８ａ〜４８ｃのＯＮ／ＯＦＦ（ＯＮ）、第２導風機構４８ａ〜４８ｃの使用位置（１），（２），（３）、吹出ユニット２０ａの風速比「５：３：１」のプリセット運転条件を実施する。なお、第１および第２モータダンパ３３，３５の開度、第１および第２導風機構３６，４８ａ〜４８ｃのＯＮ／ＯＦＦ、第２導風機構４８ａ〜４８ｃの使用位置、吹出ユニット２０ａの風速比は、パターン（２）のそれらと同一である。
【０１２４】
コントローラ２１は、選択したパターン（４）のプリセット運転条件により、送風ファン３０の出力（８０〜９０％）の出力指示信号を送風ファン３０の制御部に送信する。送風ファン３０の制御部は、コントローラ２１からの出力指示信号（８０〜９０％）にしたがって送風ファン３０の出力をインバータ制御し、出力を７０％から８０〜９０％に変更し、変更した出力８０〜９０％を維持する。
【０１２５】
パターン（４）の高温解消モードの空調運転では、送風ファン３０の出力がパターン（２）の高温解消モードの空調運転のときよりも１０〜２０％増加する。したがって、第１および第２温度が設定温度よりも高くなり（ＡおよびＢ＞設定温度）、その状態が継続している場合、パターン（２）の高温解消モードの空調運転のときの風量よりも多い風量の冷風が床下空間３４からコールドアイル１４に給気されるとともに、吹出ユニット２０ａ〜２０ｃからコールドアイル１４に多くの風量の冷風が給気される。
【０１２６】
情報処理機器室用空調システム１０は、コールドアイル１４の前端部２２や中央部２３、後端部２４、それら部２２〜２４の間に存在するサーバの温度が低下せず、または、コールドアイル１４の前端部２２や中央部２３、後端部２４、それら部２２〜２４の間に発生した熱溜まり５７ａ，５７ｂが解消せず、ＡおよびＢ＞設定温度の状態が継続している場合、前端部２２や中央部２３、後端部２４、それら部２２〜２４の間に延びるサーバラック１３に収容されたサーバを一層冷却する必要があるとともに、発生した熱溜まり５７ａ，５７ｂを解消する必要があるが、その場合、床下空間３４や吹出ユニット２０ａ〜２０ｃから給気する冷風の風量を７０％から８０〜９０％に増加させることで、コールドアイル１４の前端部２２や中央部２３、後端部２４、それら部２２〜２４の間に十分な風量の冷風を給気することができるから、前端部２２や中央部２３、後端部２４、それら部２２〜２４の間に延びるサーバラック１３に収容されたサーバを確実に冷却することができ、発生した熱溜まり５７ａ，５７ｂを冷却することができるとともに、その熱溜まり５７ａ，５７ｂを解消することができる。
【０１２７】
コントローラ２１は、パターン（４）の高温解消モードの空調運転を実施した後、第１および第２温度と設定温度とを比較し、第１および第２温度が設定温度以下（ＡおよびＢ≦設定温度）になったかを判断する（Ｓ−２０）。コントローラ２１は、ステップ２０（Ｓ−２０）において、第１および第２温度が設定温度以下になっていないと判断すると、パターン（４）の高温解消モードの空調運転を継続し（Ｓ−２１）、第１および第２温度が設定温度以下になったかを監視する（Ｓ−２０）。
【０１２８】
パターン（４）の高温解消モードの空調運転によってコールドエリアＡ，Ｂの温度が低下し、または、コールドエリアＡ，Ｂに発生した熱溜まり５７ａ，５７ｂが解消し、ステップ２０（Ｓ−２０）において、第１および第２温度と設定温度とを比較し、第１および第２温度が設定温度を超過した状態（ＡおよびＢ＞設定温度）が解消し、第１および第２温度が設定温度以下（ＡおよびＢ≦設定温度）になったと判断した場合、コントローラ２１は、パターン（４）の高温解消モードの空調運転を中断しつつ、図１１の空調パターンテーブルを参照し、エリア温度条件が一致するパターン（５）の高温解消モードの空調運転を実施する（Ｓ−２２）。
【０１２９】
コントローラ２１は、パターン（５）を選択し、第１モータダンパ３３の開度（略５０％）、第２モータダンパ３５の開度（略５０％）、送風ファン３０の出力（７０％）、第１導風機構３６のＯＮ／ＯＦＦ（ＯＮ）、第２導風機構４８ａ〜４８ｃのＯＮ／ＯＦＦ（ＯＮ）、第２導風機構４８ａ〜４８ｃの使用位置（１），（２），（３）、吹出ユニット２０ａの風速比「５：３：１」のプリセット運転条件を実施する。なお、第１および第２モータダンパ３３，３５の開度、第１および第２導風機構３６，４８ａ〜４８ｃのＯＮ／ＯＦＦ、第２導風機構４８ａ〜４８ｃの使用位置、吹出ユニット２０ａの風速比は、パターン（４）のそれらと同一である。
【０１３０】
コントローラ２１は、選択したパターン（５）のプリセット運転条件により、送風ファン３０の出力（７０％）の出力指示信号を送風ファン３０の制御部に送信する。送風ファン３０の制御部は、コントローラ２１からの出力指示信号（７０％）にしたがって送風ファン３０の出力をインバータ制御し、出力を８０〜９０％から７０％に変更し、変更した出力７０％を維持する。パターン（５）の高温解消モードの空調運転では、送風ファン３０の出力がパターン（２）の高温解消モードの空調運転のときと同様の出力（７０％）で運転される。
【０１３１】
パターン（５）の高温解消モードの空調運転では、送風ファン３０の出力がパターン（４）の高温解消モードの空調運転よりも１０〜２０％減少する。したがって、第１および第２温度が設定温度以下（ＡおよびＢ≦設定温度）になった場合、第１および第２温度が設定温度よりも高くなり（ＡおよびＢ＞設定温度）、その状態が継続しているときの風量よりも少ない風量の冷風が床下空間３４からコールドアイル１４に給気されるとともに、吹出ユニット２０ａ〜２０ｃからコールドアイル１４に給気される。
【０１３２】
コントローラ２１は、パターン（５）の高温解消モードの空調運転を実施した後、空調システム１０における高温解消モードの空調運転の停止が指令されたかを判断する（Ｓ−２３）。コントローラ２１は、停止が指令されない限り、パターン（５）の高温解消モードの空調運転を継続する（Ｓ−２４）。なお、ステップ２３（Ｓ−２３）において、パターン（５）の高温解消モードの空調運転の停止が指令された場合、コントローラ２１は、パターン（５）の高温解消モードの空調運転を停止し、システム１０が停止する。
【０１３３】
情報処理機器室用空調システム１０は、パターン（４）の高温解消モードの空調運転を継続中に、第１および第２温度が設定温度以下になった場合（ＡおよびＢ≦設定温度）、床下空間３４および吹出ユニット２０ａ〜２０ｃからコールドアイル１４に給気する冷風の風量を第１および第２温度が設定温度よりも高くなり（ＡおよびＢ＞設定温度）、その状態が継続しているときの風量よりも少なくするパターン（５）の高温解消モードの空調運転を実施するから、第１および第２温度が設定温度よりも低い場合に、サーバラック１３に収容されたサーバを必要以上に冷却することはなく、無駄な冷風送風エネルギーの消費を防ぐことができ、システム１０における省エネルギー化を図ることができる。
【０１３４】
図１９は、情報処理機器室用空調システム１０における高温解消モードの空調運転の他の一例を説明する図１と同様の側面図である。図１９は、コールドエリアＡに熱溜まり５７ａが発生した状態を概念的に示す。図１９では、コントローラ２１の図示を省略している。
【０１３５】
コールドエリアＡ（コールドアイル１４の後端部２４および中央部２３とそれら部２３，２４の間とのいずれか）に位置するサーバラック１３に収容されたサーバの温度が上昇し、または、図１９に示すように、コールドエリアＡに熱溜まり５７ａが発生し、ステップ１１（Ｓ−１１）において、第１温度が設定温度を超過したと判断した場合（Ａ＞設定温度）、コントローラ２１は、パターン（１）の通常モードの空調運転を中断しつつ、図１１の空調パターンテーブルを参照し、エリア温度条件が一致するパターン（６）の高温解消モードの空調運転を実施する（Ｓ−１４）。
【０１３６】
第１温度が設定温度を超過した場合（Ａ＞設定温度）の高温解消モードの空調運転の一例として、コントローラ２１は、パターン（６）を選択し、第１モータダンパ３３の開度（４０〜４９％）、第２モータダンパ３５の開度（５１〜６０％）、送風ファン３０の出力（７０％）、第１導風機構３６のＯＮ／ＯＦＦ（ＯＮ）、第２導風機構４８ａ〜４８ｃのＯＮ／ＯＦＦ（ＯＮ）、第２導風機構４８ａ〜４８ｃの使用位置（１），（２），（３）、吹出ユニット２０ａの風速比「５：３：１」のプリセット運転条件を実施する。
【０１３７】
選択したパターン（６）のプリセット運転条件により、導風機構４８ａ〜４８ｃのＯＮ信号（開信号）がコントローラ２１から第２導風機構４８ａ〜４８ｃの自動開閉装置に送信され、それら導風機構４８ａ〜４８ｃが天井５５から垂下する。第１モータダンパ３３の開度（４０〜４９％）の開度指示信号がコントローラ２１からモータダンパ３３の制御部に送信され、第１モータダンパ３３の制御部がダンパ３３の開度を０％から開度指示信号（４０〜４９％）のそれに変更し、開度４０〜４９％を維持する。
【０１３８】
第２モータダンパ３５の開度（５１〜６０％）の開度指示信号がコントローラ２１からモータダンパ３５の制御部に送信され、第２モータダンパ３５の制御部がダンパ３５の開度を１００％から開度指示信号（５１〜６０％）のそれに変更し、開度５１〜６０％を維持する。パターン（６）の高温解消モードの空調運転では、第１モータダンパ３３の開度が４０〜４９％に設定され、第２モータダンパ３５の開度が５１〜６０％に設定される。
【０１３９】
選択したパターン（６）のプリセット運転条件により、送風ファン３０の出力（７０％）の出力指示信号がコントローラ２１から送風ファン３０の制御部に送信され、ファン３０の制御部がファン３０の出力をインバータ制御し、出力７０％を維持する。パターン（６）の高温解消モードの空調運転では、送風ファン３０の出力がパターン（１）の通常モードの空調運転のときと同様に出力（７０％）で運転される。
【０１４０】
情報処理機器室用空調システム１０は、パターン（６）の高温解消モードの空調運転（コールドエリアＡに存在するサーバの温度が許容範囲以上、または、コールドエリアＡに熱溜まり５７ａが発生）において第１モータダンパ３３および第２モータダンパ３３の開度を調節し、床下空間３４からコールドアイル１４に５１〜６０％の割合の冷風を給気しつつ、吹出ユニット２０ａ〜２０ｃからコールドアイル１４の中央部２３および前端部２２とそれら部２２，２３の間とに位置するサーバラック１３に４０〜４９％の割合の冷風を給気するから、床下空間３４からコールドアイル１４の後端部２４や中央部２３、それら部２３，２４の間のサーバラック１３に十分な風量の冷風を給気することができ、空調機２０ａ〜２０ｃから近い近距離（後端部２４およびその近傍）や空調機２０ａ〜２０ｃから離れた中距離（中央部２３およびその近傍）に位置するサーバラック１３に収容されたサーバを十分に冷却することができる。
【０１４１】
情報処理機器室用空調システム１０は、送風ファン３０の出力増加を行うパターン（８）よりも、送風ファン３０の出力増加を行わないパターン（６）を優先的に選択する。情報処理機器室用空調システム１０は、パターン（６）の高温解消モードの空調運転において、第１モータダンパ３１の開度（４０〜４９％）と第２モータダンパ３３の開度（５１〜６０％）とを調節し、床下空間３４および吹出ユニット２０ａ〜２０ｃからコールドアイル１４に給気する冷風の風量バランスを調整することで、コールドアイル１４に位置するすべてのサーバラック１３に収容されたサーバを冷却することができるから、送風ファン３０の出力を増加させることなく、送風ファン３０の出力を通常モードの空調運転と同様の出力７０％に保持することができ、送風ファン３０の出力を増加させることによる冷風送風エネルギーの必要以上の消費を防ぐことができ、システム１０における省エネルギー化を図ることができる。
【０１４２】
コントローラ２１は、パターン（６）の高温解消モードの空調運転を継続しつつ、第１および第２温度と設定温度とを比較し、第１温度が設定温度を超過した状態（Ａ＞設定温度）が継続しているかを判断する（Ｓ−１５）。ステップ１５（Ｓ−１５）において、パターン（６）の高温解消モードの空調運転によって第１温度が設定温度を超過した状態（Ａ＞設定温度）が継続していない（非継続）と判断した場合、コントローラ２１は、パターン（６）の高温解消モードの空調運転を中断しつつ、図１１の空調パターンテーブルを参照し、エリア温度条件が一致するパターン（７）の高温解消モードの空調運転を実施する（Ｓ−１６）。
【０１４３】
コントローラ２１は、パターン（７）を選択し、第１モータダンパ３３の開度（４０〜４９％）、第２モータダンパ３５の開度（５１〜６０％）、送風ファン３０の出力（６０％）、第１導風機構３６のＯＮ／ＯＦＦ（ＯＮ）、第２導風機構４８ａ〜４８ｃのＯＮ／ＯＦＦ（ＯＮ）、第２導風機構４８ａ〜４８ｃの使用位置（１），（２），（３）、吹出ユニット２０ａの風速比「５：３：１」のプリセット運転条件を実施する。なお、第１および第２モータダンパ３３，３５の開度、第１および第２導風機構３６，４８ａ〜４８ｃのＯＮ／ＯＦＦ、第２導風機構４８ａ〜４８ｃの使用位置、吹出ユニット２０ａの風速比は、パターン（６）のそれらと同一である。
【０１４４】
コントローラ２１は、選択したパターン（７）のプリセット運転条件により、送風ファン３０の出力（６０％）の出力指示信号を送風ファン３０の制御部に送信する。送風ファン３０の制御部は、コントローラ２１からの出力指示信号（６０％）にしたがって送風ファン３０の出力をインバータ制御し、出力を７０％から６０％に変更し、変更した出力６０％を維持する。
【０１４５】
パターン（７）の高温解消モードの空調運転では、送風ファン３０の出力がパターン（６）の高温解消モードの空調運転よりも１０％減少する。したがって、第１温度が設定温度を超過した状態（Ａ＞設定温度）が継続していない（非継続）場合、第１温度が設定温度よりも高くなった（Ａ＞設定温度）ときの風量よりも少ない風量の冷風が床下空間３４からコールドアイル１４に給気されるとともに、吹出ユニット２０ａ〜２０ｃからコールドアイル１４に給気される。
【０１４６】
コントローラ２１は、パターン（７）の高温解消モードの空調運転を実施した後、空調システム１０における高温解消モードの空調運転の停止が指令されたかを判断する（Ｓ−１７）。コントローラ２１は、停止が指令されない限り、パターン（７）の高温解消モードの空調運転を継続し（Ｓ−１８）、第１温度が設定温度を超過した状態（Ａ＞設定温度）が継続しているかを監視する（Ｓ−１５）。なお、ステップ１７（Ｓ−１７）において、パターン（７）の高温解消モードの空調運転の停止が指令された場合、コントローラ２１は、パターン（７）の高温解消モードの空調運転を停止し、システム１０が停止する。
【０１４７】
情報処理機器室用空調システム１０は、パターン（６）の高温解消モードの空調運転において、床下空間３４および吹出ユニット２０ａ〜２０ｃからコールドアイル１４に給気する冷風の風量バランスを調整することで、第１温度が設定温度を超過した状態（Ａ＞設定温度）が継続しなくなった場合、パターン（７）の高温解消モードの空調運転を実施し、第１および第２モータダンパ３１，３３の開度を保持しつつ、余剰となった冷風を減少させるため、送風ファン３０の出力を７０％から６０％に変更する。したがって、この情報処理機器室用空調システム１０は、第１温度が設定温度を超過した状態が継続していない場合に、サーバラック１３に収容されたサーバを必要以上に冷却することはなく、余剰な冷風送風エネルギーの消費を防ぐことができ、システム１０における省エネルギー化を図ることができる。
【０１４８】
パターン（６）の高温解消モードの空調運転を継続中に、コールドエリアＡの温度が低下せず、または、コールドエリアＡに発生した熱溜まり５７ａが解消せず、ステップ１５（Ｓ−１５）において、第１温度が設定温度を超過した状態（Ａ＞設定温度）が継続していると判断した場合、コントローラ２１は、パターン（６）の高温解消モードの空調運転を中断しつつ、図１１の空調パターンテーブルを参照し、エリア温度条件が一致するパターン（８）の高温解消モードの空調運転を実施する（Ｓ−１９）。
【０１４９】
コントローラ２１は、パターン（８）を選択し、第１モータダンパ３３の開度（４０〜４９％）、第２モータダンパ３５の開度（５１〜６０％）、送風ファン３０の出力（８０〜９０％）、第１導風機構３６のＯＮ／ＯＦＦ（ＯＮ）、第２導風機構４８ａ〜４８ｃのＯＮ／ＯＦＦ（ＯＮ）、第２導風機構４８ａ〜４８ｃの使用位置（１），（２），（３）、吹出ユニット２０ａの風速比「５：３：１」のプリセット運転条件を実施する。なお、第１および第２モータダンパ３３，３５の開度、第１および第２導風機構３６，４８ａ〜４８ｃのＯＮ／ＯＦＦ、第２導風機構４８ａ〜４８ｃの使用位置、吹出ユニット２０ａの風速比は、パターン（６）のそれらと同一である。
【０１５０】
コントローラ２１は、選択したパターン（８）のプリセット運転条件により、送風ファン３０の出力（８０〜９０％）の出力指示信号を送風ファン３０の制御部に送信する。送風ファン３０の制御部は、コントローラ２１からの出力指示信号（８０〜９０％）にしたがって送風ファン３０の出力をインバータ制御し、出力を７０％から８０〜９０％に変更し、変更した出力８０〜９０％を維持する。
【０１５１】
パターン（８）の高温解消モードの空調運転では、送風ファン３０の出力がパターン（６）の高温解消モードの空調運転のときよりも１０〜２０％増加する。したがって、第１温度が設定温度よりも高くなり（Ａ＞設定温度）、その状態が継続している場合、パターン（６）の高温解消モードの空調運転のときの風量よりも多い風量の冷風が床下空間３４からコールドアイル１４に給気されるとともに、吹出ユニット２０ａ〜２０ｃからコールドアイル１４に多くの風量の冷風が給気される。
【０１５２】
情報処理機器室用空調システム１０は、コールドアイル１４の後端部２４や中央部２３、それら部２３，２４の間に存在するサーバの温度が低下せず、または、コールドアイル１４の後端部２４や中央部２３、それら部２３，２４の間に発生した熱溜まり５７ａが解消せず、Ａ＞設定温度の状態が継続している場合、後端部２４や中央部２３、それら部２３，２４の間に延びるサーバラック１３に収容されたサーバを一層冷却する必要があるとともに、発生した熱溜まり５７ａを解消する必要があるが、その場合、床下空間３４から給気する冷風の風量を７０％から８０〜９０％に増加させることで、コールドアイル１４の後端部２４や中央部２３、それら部２３，２４の間に十分な風量の冷風を給気することができるから、後端部２４や中央部２３、それら部２３，２４の間に延びるサーバラック１３に収容されたサーバを確実に冷却することができ、発生した熱溜まり５７ａを冷却することができるとともに、その熱溜まり５７ａを解消することができる。
【０１５３】
コントローラ２１は、パターン（８）の高温解消モードの空調運転を実施した後、第１および第２温度と設定温度とを比較し、第１温度が設定温度以下（Ａ≦設定温度）になったかを判断する（Ｓ−２０）。コントローラ２１は、ステップ２０（Ｓ−２０）において、第１温度が設定温度以下になっていないと判断すると、パターン（８）の高温解消モードの空調運転を継続し（Ｓ−２１）、第１温度が設定温度以下になったかを監視する（Ｓ−２０）。
【０１５４】
パターン（８）の高温解消モードの空調運転によってコールドエリアＡの温度が低下し、または、コールドエリアＡに発生した熱溜まり５７ａが解消し、ステップ２０（Ｓ−２０）において、第１および第２温度と設定温度とを比較し、第１温度が設定温度を超過した状態（Ａ＞設定温度）が解消し、第１温度が設定温度以下（Ａ≦設定温度）になったと判断した場合、コントローラ２１は、パターン（８）の高温解消モードの空調運転を中断しつつ、図１１の空調パターンテーブルを参照し、エリア温度条件が一致するパターン（９）の高温解消モードの空調運転を実施する（Ｓ−２２）。
【０１５５】
コントローラ２１は、パターン（９）を選択し、第１モータダンパ３３の開度（４０〜４９％）、第２モータダンパ３５の開度（５１〜６０％）、送風ファン３０の出力（７０％）、第１導風機構３６のＯＮ／ＯＦＦ（ＯＮ）、第２導風機構４８ａ〜４８ｃのＯＮ／ＯＦＦ（ＯＮ）、第２導風機構４８ａ〜４８ｃの使用位置（１），（２），（３）、吹出ユニット２０ａの風速比「５：３：１」のプリセット運転条件を実施する。なお、第１および第２モータダンパ３３，３５の開度、第１および第２導風機構３６，４８ａ〜４８ｃのＯＮ／ＯＦＦ、第２導風機構４８ａ〜４８ｃの使用位置、吹出ユニット２０ａの風速比は、パターン（８）のそれらと同一である。
【０１５６】
コントローラ２１は、選択したパターン（９）のプリセット運転条件により、送風ファン３０の出力（７０％）の出力指示信号を送風ファン３０の制御部に送信する。送風ファン３０の制御部は、コントローラ２１からの出力指示信号（７０％）にしたがって送風ファン３０の出力をインバータ制御し、出力を８０〜９０％から７０％に変更し、変更した出力７０％を維持する。パターン（９）の高温解消モードの空調運転では、送風ファン３０の出力がパターン（６）の高温解消モードの空調運転のときと同様の出力（７０％）で運転される。
【０１５７】
パターン（９）の高温解消モードの空調運転では、送風ファン３０の出力がパターン（８）の高温解消モードの空調運転よりも１０〜２０％減少する。したがって、第１温度が設定温度以下（Ａ≦設定温度）になった場合、第１温度が設定温度よりも高くなり（Ａ＞設定温度）、その状態が継続しているときの風量よりも少ない風量の冷風が床下空間３４からコールドアイル１４に給気されるとともに、吹出ユニット２０ａ〜２０ｃからコールドアイル１４に給気される。
【０１５８】
コントローラ２１は、パターン（９）の高温解消モードの空調運転を実施した後、空調システム１０における高温解消モードの空調運転の停止が指令されたかを判断する（Ｓ−２３）。コントローラ２１は、停止が指令されない限り、パターン（９）の高温解消モードの空調運転を継続する（Ｓ−２４）。なお、ステップ２３（Ｓ−２３）において、パターン（９）の高温解消モードの空調運転の停止が指令された場合、コントローラ２１は、パターン（９）の高温解消モードの空調運転を停止し、システム１０が停止する。
【０１５９】
情報処理機器室用空調システム１０は、パターン（８）の高温解消モードの空調運転を継続中に、第１温度が設定温度以下になった場合（Ａ≦設定温度）、床下空間３４および吹出ユニット２０ａ〜２０ｃからコールドアイル１４に給気する冷風の風量を第１温度が設定温度よりも高くなり（Ａ＞設定温度）、その状態が継続しているときの風量よりも少なくするパターン（９）の高温解消モードの空調運転を実施するから、第１温度が設定温度よりも低い場合に、サーバラック１３に収容されたサーバを必要以上に冷却することはなく、無駄な冷風送風エネルギーの消費を防ぐことができ、システム１０における省エネルギー化を図ることができる。
【０１６０】
図２０は、情報処理機器室用空調システム１０における高温解消モードの空調運転の他の一例を説明する図１と同様の側面図である。図２０は、コールドエリアＢに熱溜まり５７ｂが発生した状態を概念的に示す。図２０では、コントローラ２１の図示を省略している。
【０１６１】
コールドエリアＢ（コールドアイル１４の中央部２３および前端部２２とそれら部２２，２３の間とのいずれか）に位置するサーバラック１３に収容されたサーバの温度が上昇し、または、図２０に示すように、コールドエリアＢに熱溜まり５７ｂが発生し、ステップ１１（Ｓ−１１）において、第２温度が設定温度を超過したと判断した場合（Ｂ＞設定温度）、コントローラ２１は、パターン（１）の通常モードの空調運転を中断しつつ、図１１の空調パターンテーブルを参照し、エリア温度条件が一致するパターン（１０）の高温解消モードの空調運転を実施する（Ｓ−１４）。
【０１６２】
第２温度が設定温度を超過した場合（Ｂ＞設定温度）の高温解消モードの空調運転の一例として、コントローラ２１は、パターン（１０）を選択し、第１モータダンパ３３の開度（５１〜６０％）、第２モータダンパ３５の開度（４０〜４９％）、送風ファン３０の出力（７０％）、第１導風機構３６のＯＮ／ＯＦＦ（ＯＮ）、第２導風機構４８ａ〜４８ｃのＯＮ／ＯＦＦ（ＯＮ）、第２導風機構４８ａ〜４８ｃの使用位置（１），（２），（３）、吹出ユニット２０ａの風速比「５：３：１」のプリセット運転条件を実施する。
【０１６３】
選択したパターン（１０）のプリセット運転条件により、導風機構４８ａ〜４８ｃのＯＮ信号（開信号）がコントローラ２１から第２導風機構４８ａ〜４８ｃの自動開閉装置に送信され、それら導風機構４８ａ〜４８ｃが天井５５から垂下する。第１モータダンパ３３の開度（５１〜６０％）の開度指示信号がコントローラ２１からモータダンパ３３の制御部に送信され、第１モータダンパ３３の制御部がダンパ３３の開度を０％から開度指示信号（５１〜６０％）のそれに変更し、開度５１〜６０％を維持する。
【０１６４】
第２モータダンパ３５の開度（４０〜４９％）の開度指示信号がコントローラ２１からモータダンパ３５の制御部に送信され、第２モータダンパ３５の制御部がダンパ３５の開度を１００％から開度指示信号（４０〜４９％）のそれに変更し、開度４０〜４９％を維持する。パターン（１０）の高温解消モードの空調運転では、第１モータダンパ３３の開度が５１〜６０％に設定され、第２モータダンパ３５の開度が４０〜４９％に設定される。
【０１６５】
選択したパターン（１０）のプリセット運転条件により、送風ファン３０の出力（７０％）の出力指示信号がコントローラ２１から送風ファン３０の制御部に送信され、ファン３０の制御部がファン３０の出力をインバータ制御し、出力７０％を維持する。パターン（１０）の高温解消モードの空調運転では、送風ファン３０の出力がパターン（１）の通常モードの空調運転のときと同様に出力（７０％）で運転される。
【０１６６】
情報処理機器室用空調システム１０は、パターン（１０）の高温解消モードの空調運転（コールドエリアＢに存在するサーバの温度が許容範囲以上、または、コールドエリアＢに熱溜まり５７ｂが発生）において第１モータダンパ３３および第２モータダンパ３３の開度を調節し、床下空間３４からコールドアイル１４に４０〜４９％の割合の冷風を給気しつつ、吹出ユニット２０ａ〜２０ｃからコールドアイル１４の中央部２３および前端部２２とそれら部２２，２３の間とに位置するサーバラック１３に５１〜６０％の割合の冷風を給気するから、吹出ユニット２０ａ〜２０ｃからコールドアイル１４の中央部２３や前端部２２、それら部２２，２３の間のサーバラック１３に十分な風量の冷風を給気することができ、空調機２０ａ〜２０ｃから離れた中距離（中央部２３およびその近傍）や空調機２０ａ〜２０ｃから離れた遠距離（前端部２２およびその近傍）に位置するサーバラック１３に収容されたサーバを十分に冷却することができる。
【０１６７】
情報処理機器室用空調システム１０は、送風ファン３０の出力増加を行うパターン（１２）よりも、送風ファン３０の出力増加を行わないパターン（１０）を優先的に選択する。情報処理機器室用空調システム１０は、パターン（１０）の高温解消モードの空調運転において、第１モータダンパ３１の開度（５１〜６０％）と第２モータダンパ３１，３３の開度（４０〜４９％）とを調節し、床下空間３４および吹出ユニット２０ａ〜２０ｃからコールドアイル１４に給気する冷風の風量バランスを調整することで、コールドアイル１４に位置するすべてのサーバラック１３に収容されたサーバを冷却することができるから、送風ファン３０の出力を増加させることなく、送風ファン３０の出力を通常モードの空調運転と同様の出力７０％に保持することができ、送風ファン３０の出力を増加させることによる冷風送風エネルギーの必要以上の消費を防ぐことができ、システム１０における省エネルギー化を図ることができる。
【０１６８】
コントローラ２１は、パターン（１０）の高温解消モードの空調運転を継続しつつ、第１および第２温度と設定温度とを比較し、第２温度が設定温度を超過した状態（Ｂ＞設定温度）が継続しているかを判断する（Ｓ−１５）。ステップ１５（Ｓ−１５）において、パターン（１０）の高温解消モードの空調運転によって第２温度が設定温度を超過した状態（Ｂ＞設定温度）が継続していない（非継続）と判断した場合、コントローラ２１は、パターン（１０）の高温解消モードの空調運転を中断しつつ、図１１の空調パターンテーブルを参照し、エリア温度条件が一致するパターン（１１）の高温解消モードの空調運転を実施する（Ｓ−１６）。
【０１６９】
コントローラ２１は、パターン（１１）を選択し、第１モータダンパ３３の開度（５１〜６０％）、第２モータダンパ３５の開度（４０〜４９％）、送風ファン３０の出力（６０％）、第１導風機構３６のＯＮ／ＯＦＦ（ＯＮ）、第２導風機構４８ａ〜４８ｃのＯＮ／ＯＦＦ（ＯＮ）、第２導風機構４８ａ〜４８ｃの使用位置（１），（２），（３）、吹出ユニット２０ａの風速比「５：３：１」のプリセット運転条件を実施する。なお、第１および第２モータダンパ３３，３５の開度、第１および第２導風機構３６，４８ａ〜４８ｃのＯＮ／ＯＦＦ、第２導風機構４８ａ〜４８ｃの使用位置、吹出ユニット２０ａの風速比は、パターン（１０）のそれらと同一である。
【０１７０】
コントローラ２１は、選択したパターン（１１）のプリセット運転条件により、送風ファン３０の出力（６０％）の出力指示信号を送風ファン３０の制御部に送信する。送風ファン３０の制御部は、コントローラ２１からの出力指示信号（６０％）にしたがって送風ファン３０の出力をインバータ制御し、出力を７０％から６０％に変更し、変更した出力６０％を維持する。
【０１７１】
パターン（１１）の高温解消モードの空調運転では、送風ファン３０の出力がパターン（１０）の高温解消モードの空調運転よりも１０％減少する。したがって、第２温度が設定温度を超過した状態（Ｂ＞設定温度）が継続していない（非継続）場合、第２温度が設定温度よりも高くなった（Ｂ＞設定温度）ときの風量よりも少ない風量の冷風が床下空間３４からコールドアイル１４に給気されるとともに、吹出ユニット２０ａ〜２０ｃからコールドアイル１４に給気される。
【０１７２】
コントローラ２１は、パターン（１１）の高温解消モードの空調運転を実施した後、空調システム１０における高温解消モードの空調運転の停止が指令されたかを判断する（Ｓ−１７）。コントローラ２１は、停止が指令されない限り、パターン（１１）の高温解消モードの空調運転を継続し（Ｓ−１８）、第２温度が設定温度を超過した状態（Ｂ＞設定温度）が継続しているかを監視する（Ｓ−１５）。なお、ステップ１７（Ｓ−１７）において、パターン（１１）の高温解消モードの空調運転の停止が指令された場合、コントローラ２１は、パターン（１１）の高温解消モードの空調運転を停止し、システム１０が停止する。
【０１７３】
情報処理機器室用空調システム１０は、パターン（１０）の高温解消モードの空調運転において、床下空間３４および吹出ユニット２０ａ〜２０ｃからコールドアイル１４に給気する冷風の風量バランスを調整することで、第２温度が設定温度を超過した状態（Ｂ＞設定温度）が継続しなくなった場合、パターン（１１）の高温解消モードの空調運転を実施し、第１および第２モータダンパ３１，３３の開度を保持しつつ、余剰となった冷風を減少させるため、送風ファン３０の出力を７０％から６０％に変更する。したがって、この情報処理機器室用空調システム１０は、第２温度が設定温度を超過した状態が継続していない場合に、サーバラック１３に収容されたサーバを必要以上に冷却することはなく、余剰な冷風送風エネルギーの消費を防ぐことができ、システム１０における省エネルギー化を図ることができる。
【０１７４】
パターン（１０）の高温解消モードの空調運転を継続中に、コールドエリアＢの温度が低下せず、または、コールドエリアＢに発生した熱溜まり５７ｂが解消せず、ステップ１５（Ｓ−１５）において、第２温度が設定温度を超過した状態（Ｂ＞設定温度）が継続していると判断した場合、コントローラ２１は、パターン（１０）の高温解消モードの空調運転を中断しつつ、図１１の空調パターンテーブルを参照し、エリア温度条件が一致するパターン（１２）の高温解消モードの空調運転を実施する（Ｓ−１９）。
【０１７５】
コントローラ２１は、パターン（１２）を選択し、第１モータダンパ３３の開度（５１〜６０％）、第２モータダンパ３５の開度（４０〜４９％）、送風ファン３０の出力（８０〜９０％）、第１導風機構３６のＯＮ／ＯＦＦ（ＯＮ）、第２導風機構４８ａ〜４８ｃのＯＮ／ＯＦＦ（ＯＮ）、第２導風機構４８ａ〜４８ｃの使用位置（１），（２），（３）、吹出ユニット２０ａの風速比「５：３：１」のプリセット運転条件を実施する。なお、第１および第２モータダンパ３３，３５の開度、第１および第２導風機構３６，４８ａ〜４８ｃのＯＮ／ＯＦＦ、第２導風機構４８ａ〜４８ｃの使用位置、吹出ユニット２０ａの風速比は、パターン（１０）のそれらと同一である。
【０１７６】
コントローラ２１は、選択したパターン（１２）のプリセット運転条件により、送風ファン３０の出力（８０〜９０％）の出力指示信号を送風ファン３０の制御部に送信する。送風ファン３０の制御部は、コントローラ２１からの出力指示信号（８０〜９０％）にしたがって送風ファン３０の出力をインバータ制御し、出力を７０％から８０〜９０％に変更し、変更した出力８０〜９０％を維持する。
【０１７７】
パターン（１２）の高温解消モードの空調運転では、送風ファン３０の出力がパターン（１０）の高温解消モードの空調運転のときよりも１０〜２０％増加する。したがって、第２温度が設定温度よりも高くなり（Ｂ＞設定温度）、その状態が継続している場合、パターン（１０）の高温解消モードの空調運転のときの風量よりも多い風量の冷風が床下空間３４からコールドアイル１４に給気されるとともに、吹出ユニット２０ａ〜２０ｃからコールドアイル１４に多くの風量の冷風が給気される。
【０１７８】
情報処理機器室用空調システム１０は、コールドアイル１４の中央部２３や前端部２２、それら部２２，２３の間に存在するサーバの温度が上昇し、または、コールドアイル１４の中央部２３や前端部２２、それら部２２，２３の間に存在するサーバの熱による熱溜まり５７ｂが発生し、Ｂ＞設定温度の状態が継続している場合、中央部２３や前端部２２、それら部２２，２３の間に延びるサーバラック１３に収容されたサーバを一層冷却する必要があるとともに、発生した熱溜まり５７ｂを解消する必要があるが、その場合、吹出ユニット２０ａ〜２０ｃから給気する冷風の風量を７０％から８０〜９０％に増加させることで、コールドアイル１４の中央部２３や前端部２２、それら部２２，２３の間に十分な風量の冷風を給気することができるから、中央部２３や前端部２２、それら部２２，２３の間に延びるサーバラック１３に収容されたサーバを確実に冷却することができ、発生した熱溜まり５７ｂを冷却することができるとともに、その熱溜まり５７ｂを解消することができる。
【０１７９】
コントローラ２１は、パターン（１２）の高温解消モードの空調運転を実施した後、第１および第２温度と設定温度とを比較し、第２温度が設定温度以下（Ｂ≦設定温度）になったかを判断する（Ｓ−２０）。コントローラ２１は、ステップ２０（Ｓ−２０）において、第２温度が設定温度以下になっていないと判断すると、パターン（１２）の高温解消モードの空調運転を継続し（Ｓ−２１）、第２温度が設定温度以下になったかを監視する（Ｓ−２０）。
【０１８０】
パターン（１２）の高温解消モードの空調運転によってコールドエリアＢの温度が低下し、または、コールドエリアＢに発生した熱溜まり５７ｂが解消し、ステップ２０（Ｓ−２０）において、第１および第２温度と設定温度とを比較し、第２温度が設定温度を超過した状態（Ｂ＞設定温度）が解消し、第２温度が設定温度以下（Ｂ≦設定温度）になったと判断した場合、コントローラ２１は、パターン（１２）の高温解消モードの空調運転を中断しつつ、図１１の空調パターンテーブルを参照し、エリア温度条件が一致するパターン（１３）の高温解消モードの空調運転を実施する（Ｓ−２２）。
【０１８１】
コントローラ２１は、パターン（１３）を選択し、第１モータダンパ３３の開度（５１〜６０％）、第２モータダンパ３５の開度（４０〜４９％）、送風ファン３０の出力（７０％）、第１導風機構３６のＯＮ／ＯＦＦ（ＯＮ）、第２導風機構４８ａ〜４８ｃのＯＮ／ＯＦＦ（ＯＮ）、第２導風機構４８ａ〜４８ｃの使用位置（１），（２），（３）、吹出ユニット２０ａの風速比「５：３：１」のプリセット運転条件を実施する。なお、第１および第２モータダンパ３３，３５の開度、第１および第２導風機構３６，４８ａ〜４８ｃのＯＮ／ＯＦＦ、第２導風機構４８ａ〜４８ｃの使用位置、吹出ユニット２０ａの風速比は、パターン（１２）のそれらと同一である。
【０１８２】
コントローラ２１は、選択したパターン（１３）のプリセット運転条件により、送風ファン３０の出力（７０％）の出力指示信号を送風ファン３０の制御部に送信する。送風ファン３０の制御部は、コントローラ２１からの出力指示信号（７０％）にしたがって送風ファン３０の出力をインバータ制御し、出力を８０〜９０％から７０％に変更し、変更した出力７０％を維持する。パターン（１３）の高温解消モードの空調運転では、送風ファン３０の出力がパターン（１０）の高温解消モードの空調運転のときと同様の出力（７０％）で運転される。
【０１８３】
パターン（１３）の高温解消モードの空調運転では、送風ファン３０の出力がパターン（１２）の高温解消モードの空調運転よりも１０〜２０％減少する。したがって、第２温度が設定温度以下（Ｂ≦設定温度）になった場合、第２温度が設定温度よりも高くなり（Ｂ＞設定温度）、その状態が継続しているときの風量よりも少ない風量の冷風が床下空間３４からコールドアイル１４に給気されるとともに、吹出ユニット２０ａ〜２０ｃからコールドアイル１４に給気される。
【０１８４】
コントローラ２１は、パターン（１３）の高温解消モードの空調運転を実施した後、空調システム１０における高温解消モードの空調運転の停止が指令されたかを判断する（Ｓ−２３）。コントローラ２１は、停止が指令されない限り、パターン（１３）の高温解消モードの空調運転を継続する（Ｓ−２４）。なお、ステップ２３（Ｓ−２３）において、パターン（１３）の高温解消モードの空調運転の停止が指令された場合、コントローラ２１は、パターン（１３）の高温解消モードの空調運転を停止し、システム１０が停止する。
【０１８５】
情報処理機器室用空調システム１０は、パターン（１２）の高温解消モードの空調運転を継続中に、第２温度が設定温度以下になった場合（Ｂ≦設定温度）、床下空間３４および吹出ユニット２０ａ〜２０ｃからコールドアイル１４に給気する冷風の風量を第２温度が設定温度よりも高くなり（Ｂ＞設定温度）、その状態が継続しているときの風量よりも少なくするパターン（１３）の高温解消モードの空調運転を実施するから、第２温度が設定温度よりも低い場合に、サーバラック１３に収容されたサーバを必要以上に冷却することはなく、無駄な冷風送風エネルギーの消費を防ぐことができ、システム１０における省エネルギー化を図ることができる。
【符号の説明】
【０１８６】
１０    情報処理機器室空調システム
１１    データセンター
１２    空調室（情報処理機器室）
１３    サーバラック
１４    コールドアイル
１５    ホットアイル
１６ａ〜１６ｃ  空調機
１７ａ〜１７ｆ  第１温度センサ
１８ａ〜１８ｆ  第２温度センサ
１９    第３温度センサ
２０ａ  第１吹出ユニット
２０ｂ  第２吹出ユニット
２０ｃ  第３吹出ユニット
２１    コントローラ
２２    前端部
２３    中央部
２４    後端部
２５    頂部
２６    たれ壁
２７    機械室
３０    送風ファン
３１    第１給気ダクト
３２    第２給気ダクト
３３    第１モータダンパ（第１ダンパ）
３４    床下空間
３５    第２モータダンパ（第２ダンパ）
３７    中間部
３８    底部
３９    給気チャンバ
４０ａ  第１分岐ダクト
４０ｂ  第２分岐ダクト
４０ｃ  第３分岐ダクト
４１ａ  第１風速調節ダンパ（第１〜第ｎ風速調節ダンパ）
４１ｂ  第２風速調節ダンパ（第１〜第ｎ風速調節ダンパ）
４１ｃ  第３風速調節ダンパ（第１〜第ｎ風速調節ダンパ）
４２    吹出ハウジング
４３    内部空間
４４ａ  第１空気流入口（空気流入口）
４４ｂ  第２空気流入口（空気流入口）
４４ｃ  第３空気流入口（空気流入口）
４５ａ  第１空気吹出口（第１〜第ｎ空気吹出口）
４５ｂ  第２空気吹出口（第１〜第ｎ空気吹出口）
４５ｃ  第３空気吹出口（第１〜第ｎ空気吹出口）
４６    仕切板
４７ａ  第１空気流路（第１〜第ｎ空気流路）
４７ｂ  第２空気流路（第１〜第ｎ空気流路）
４７ｃ  第３空気流路（第１〜第ｎ空気流路）
４８ａ〜４８ｃ  導風機構
４９    風向板
５０    支持枠（支持部材）
５１    通気口
５２    バイパスダクト
５３    バイパスダンパ
５４    天井空間
５５    天井
５６    床
５７ａ  熱溜まり
５７ｂ  熱溜まり
【図１】
0006435125.tif 000002
【図２】
0006435125.tif 000003
【図３】
0006435125.tif 000004
【図４】
0006435125.tif 000005
【図５】
0006435125.tif 000006
【図６】
0006435125.tif 000007
【図７】
0006435125.tif 000008
【図８】
0006435125.tif 000009
【図９】
0006435125.tif 000010
【図１０】
0006435125.tif 000011
【図１１】
0006435125.tif 000012
【図１２】
0006435125.tif 000013
【図１３】
0006435125.tif 000014
【図１４】
0006435125.tif 000015
【図１５】
0006435125.tif 000016
【図１６】
0006435125.tif 000017
【図１７】
0006435125.tif 000018
【図１８】
0006435125.tif 000019
【図１９】
0006435125.tif 000020
【図２０】
0006435125.tif 000021